(57)【要約】  本発明は、ワイヤレス通信方法及び装置を開示する。本方法は、ユーザ装置ＵＥによって送信された第１のリスニング結果を受信するステップであって、第１のリスニング結果が、リッスンされるスペクトルの干渉リスニングをＵＥによって実行することによって取得され、リッスンされるスペクトルは免許不要スペクトルである、ステップと、第１のリスニング結果に従って、リッスンされるスペクトルからアイドルスペクトルを選択するステップと、そのアイドルスペクトルでＵＥと通信するステップと、を含む。本発明の技術的解決法では、ＵＥがリッスンされるスペクトルのリスニングを実行するので、基地局の干渉リスニング範囲を拡張することができ、基地局の隠れノードを発見することができる。したがって、基地局は、適切な免許不要スペクトルを選択してＵＥと通信することができ、それによって、選択された免許不要スペクトルで基地局とＵＥとの間の通信に生じ得る干渉の強度を低減することができる。
2016541170.tif 000002
【特許請求の範囲】
【請求項１】
基地局がリスニング構成情報を生成するステップであって、前記リスニング構成情報は、干渉リスニングを実行するようにユーザ装置ＵＥを構成するために使用され、前記干渉リスニングは、リッスンされるスペクトルでのエネルギー検出を示し、前記リッスンされるスペクトルは免許不要スペクトルに属する、ステップと、
前記基地局が前記リスニング構成情報を前記ＵＥに送信するステップと、
を含み、
前記基地局は、前記免許不要スペクトルを使用して前記ＵＥと通信することができる、
リスニング構成方法。
【請求項２】
前記ＵＥが前記リッスンされるスペクトルの記述情報に従って前記リッスンされるスペクトルで干渉リスニングを実行することができるように、前記リスニング構成情報が、前記リッスンされるスペクトルの前記記述情報を備え、前記リッスンされるスペクトルの前記記述情報が、前記リッスンされるスペクトルの時間領域情報及び／又は周波数領域情報を備える、請求項１に記載の方法。
【請求項３】
前記ＵＥが第２のリスニング結果に従って前記リッスンされるスペクトルの記述情報を決定することができるように、前記リスニング構成情報が、使用可能なスペクトルのリスニングにより前記基地局によって取得された前記第２のリスニング結果を備え、前記使用可能なスペクトルが、前記リッスンされるスペクトルを備える免許不要スペクトルである、請求項１に記載の方法。
【請求項４】
前記リスニング構成情報が、前記ＵＥが第１のリスニング結果を報告するときに占有されるリソースを示すために使用される報告構成情報を備え、前記報告構成情報が、時間領域情報、周波数領域情報及び符号領域情報のうちの少なくとも１つを備える、請求項１乃至３のいずれか一項に記載の方法。
【請求項５】
前記リスニング構成情報がさらに、リスニング時間情報を備え、
前記リスニング時間情報が、前記ＵＥが前記リッスンされるスペクトルの干渉リスニングの実行を開始及び／又は停止する時間を示すために使用されるか、又は、
前記リスニング時間情報が、前記リッスンされるスペクトルの干渉リスニングを前記リスニング時間情報の周期で実行するようにＵＥに指示するために使用される、
請求項１乃至４のいずれか一項に記載の方法。
【請求項６】
前記リスニング構成情報がさらに、リスニングトリガ条件に関する情報を備え、前記リスニングトリガ条件に関する前記情報が、現在使用されるチャネルの品質が前記トリガ条件を満たすときに前記リッスンされるスペクトルの干渉リスニングを実行するように前記ＵＥに指示するために使用される、請求項１乃至４のいずれか一項に記載の方法。
【請求項７】
ユーザ装置ＵＥによって送信される第１のリスニング結果を受信するステップであって、前記第１のリスニング結果が、免許不要スペクトルであるリッスンされるスペクトルの干渉リスニングを実行することによって前記ＵＥによって取得される、ステップと、
前記リッスンされるスペクトルから前記第１のリスニング結果に従ってアイドルスペクトルを選択するステップと、
前記アイドルスペクトルで前記ＵＥと通信するステップと
を含む、ワイヤレス通信方法。
【請求項８】
前記ＵＥによって送信される前記第１のリスニング結果を受信する前記ステップの前に、
前記ＵＥが、リスニング構成情報に従って、前記リッスンされるスペクトルの干渉リスニングを実行することができるように、前記ＵＥに前記リスニング構成情報を送信するステップ
をさらに含む、請求項７に記載の方法。
【請求項９】
前記ＵＥにリスニング構成情報を送信する前記ステップが、
無線リソース制御ＲＲＣ専用シグナリング、ＲＲＣブロードキャストシグナリング、メディアアクセス制御ＭＡＣシグナリング又は物理層シグナリングを使用することによって、前記リスニング構成情報を前記ＵＥに送信するステップ
を含む、請求項８に記載の方法。
【請求項１０】
前記リスニング構成情報が、前記リッスンされるスペクトルの記述情報を備え、
前記ＵＥにリスニング構成情報を送信する前記ステップの前に、
使用可能なスペクトルの干渉リスニングを実行して第２のリスニング結果を取得するステップであって、前記使用可能なスペクトルは、前記リッスンされるスペクトルを備える免許不要スペクトルである、ステップと、
前記第２のリスニング結果に従って、前記リッスンされるスペクトルの前記記述情報を決定するステップと
をさらに含む、請求項８又は９に記載の方法。
【請求項１１】
前記ＵＥにリスニング構成情報を送信する前記ステップの前に、
使用可能なスペクトルの干渉リスニングを実行して第２のリスニング結果を取得するステップであって、前記使用可能なスペクトルは、前記リッスンされるスペクトルを備える免許不要スペクトルである、ステップ
をさらに含み、前記ＵＥが前記リスニング構成情報に従って前記リッスンされるスペクトルの干渉リスニングを実行することができるように、前記ＵＥにリスニング構成情報を送信する前記ステップが、
前記ＵＥが前記第２のリスニング結果に従って前記リッスンされるスペクトルの記述情報を決定することができるように、前記第２のリスニング結果を備える前記リスニング構成情報を前記ＵＥに送信するステップ
を含む、請求項８又は９に記載の方法。
【請求項１２】
前記リスニング構成情報が、前記ＵＥが前記第１のリスニング結果を報告するときに占有されるリソースを示すために使用される報告構成情報を備え、前記報告構成情報が、時間領域情報、周波数領域情報及び符号領域情報のうちの少なくとも１つを備え、
前記ＵＥによって送信される前記第１のリスニング結果を受信する前記ステップが、
前記ＵＥによって送信される前記第１のリスニング結果を前記報告構成情報に対応する前記リソースで受信するステップ
を含む、請求項８乃至１１のいずれか一項に記載の方法。
【請求項１３】
前記リスニング構成情報がリスニング時間情報を備え、前記リスニング時間情報が、前記ＵＥが前記リッスンされるスペクトルの干渉リスニングの実行を開始及び／又は停止する時間を示すために使用されるか、若しくは、前記リスニング時間情報が、前記リッスンされるスペクトルの干渉リスニングを前記リスニング時間情報の周期で実行するように前記ＵＥに指示するために使用され、又は、
前記ユーザ装置ＵＥによって送信される前記第１のリスニング結果を受信する前記ステップの前に、
前記ＵＥが、トリガ命令を受信した後に、前記リッスンされるスペクトルの干渉リスニングの実行を開始することができるように、前記トリガ命令を前記ＵＥに送信するステップ
をさらに含む、請求項８乃至１２のいずれか一項に記載の方法。
【請求項１４】
前記リスニング構成情報がさらに、リスニングトリガ条件に関する情報を備え、前記リスニングトリガ条件に関する前記情報が、現在使用されるチャネルの品質が前記トリガ条件を満たすときに、前記リッスンされるスペクトルの干渉リスニングを実行するように前記ＵＥに指示するために使用される、請求項８乃至１２のいずれか一項に記載の方法。
【請求項１５】
前記第１のリスニング結果が、前記リッスンされるスペクトルの干渉信号のエネルギー情報であり、
ユーザ装置ＵＥによって送信される第１のリスニング結果を受信する前記ステップの前に、
現在の基地局による前記リッスンされるスペクトルの使用の状況に関する情報を前記ＵＥに送信するステップであって、前記ＵＥが、前記現在の基地局による前記リッスンされるスペクトルの使用の状況に関する前記情報に従って、前記現在の基地局によって送信される信号のエネルギー情報を決定し、前記リッスンされるスペクトルのリスニングによって取得されるエネルギー情報及び現在の基地局によって送信される前記信号の前記エネルギー情報に従って、前記リッスンされるスペクトルの前記干渉信号の前記エネルギー情報をさらに決定して前記第１のリスニング結果を取得することができるように、前記使用の状況に関する前記情報が、前記現在の基地局によって前記リッスンされるスペクトルで送信される信号に対応するデータスケジューリング情報を備える、ステップ
をさらに含む、請求項７乃至１４のいずれか一項に記載の方法。
【請求項１６】
前記リッスンされるスペクトルから前記第１のリスニング結果に従ってアイドルスペクトルを選択する前記ステップが、
前記リッスンされるスペクトルの前記干渉信号の前記エネルギー情報に従って、前記リッスンされるスペクトルから事前設定条件を満たすリッスンされるスペクトルを選択するステップ
を含み、前記事前設定条件が、以下の３つの項目、すなわち、
リッスンされるスペクトルの干渉信号のエネルギー情報の値が、第１の事前設定値未満であることと、
リッスンされるスペクトルの信号対干渉雑音比ＳＩＮＲの値が、第２の事前設定値より大きいことであって、前記ＳＩＮＲの前記値が、前記リッスンされるスペクトルの干渉信号のエネルギー情報の値に対する、前記ＵＥによって現在使用されるチャネルの参照信号受信電力ＲＳＲＰの比率であることと、
リッスンされるスペクトルのチャネル品質インジケータＣＱＩが、第３の事前設定値より大きいことであって、前記ＣＱＩの値が、前記リッスンされるスペクトルの干渉信号のエネルギー情報の値に対する、前記ＵＥによって現在使用されるチャネルのＲＳＲＰの比率に対応することと、
のうちの少なくとも１つを備える、請求項１５に記載の方法。
【請求項１７】
前記第１のリスニング結果が、前記ＵＥによって選択されたアイドルスペクトルの記述情報であり、前記第１のリスニング結果に従って前記リッスンされるスペクトルからアイドルスペクトルを選択する前記ステップが、
前記ＵＥによって選択された前記アイドルスペクトルの前記記述情報に従って、前記リッスンされるスペクトルから前記アイドルスペクトルを決定するステップ
を含み、
前記ＵＥによって選択された前記アイドルスペクトルの前記記述情報は、ＵＥが、前記リッスンされるスペクトルでの干渉信号のエネルギー情報であって、前記リッスンされるスペクトルの干渉リスニングを実行することによりＵＥによって取得されるエネルギー情報に従って、リッスンされるスペクトルから選択し、且つ、事前設定条件を満たす、前記リッスンされるスペクトルの記述情報であり、前記事前設定条件が、以下の３つの項目、すなわち、
リッスンされるスペクトルの干渉信号のエネルギー情報の値が、第１の事前設定値未満であることと、
リッスンされるスペクトルの信号対干渉雑音比ＳＩＮＲの値が、第２の事前設定値より大きいことであって、前記ＳＩＮＲの前記値が、前記リッスンされるスペクトルの干渉信号のエネルギー情報の値に対する、前記ＵＥによって現在使用されるチャネルの参照信号受信電力ＲＳＲＰの比率であることと、
前記リッスンされるスペクトルのチャネル品質インジケータＣＱＩが、第３の事前設定値より大きいことであって、前記ＣＱＩの値が、前記リッスンされるスペクトルの干渉信号のエネルギー情報の値に対する、前記ＵＥによって現在使用されるチャネルのＲＳＲＰの比率に対応することと、
のうちの少なくとも１つを備える、請求項７乃至１４のいずれか一項に記載の方法。
【請求項１８】
ユーザ装置ＵＥが、リッスンされるスペクトルの干渉リスニングを実行して第１のリスニング結果を取得するステップであって、前記リッスンされるスペクトルは免許不要スペクトルに属する、ステップと、
基地局が前記第１のリスニング結果に従って前記リッスンされるスペクトルから前記ＵＥと通信するためのアイドルスペクトルを選択することができるように、前記ＵＥが、前記第１のリスニング結果を前記基地局に送信するステップと
を含む、ワイヤレス通信方法。
【請求項１９】
ＵＥがリッスンされるスペクトルの干渉リスニングを実行する前記ステップの前に、
前記ユーザ装置ＵＥが、前記基地局によって送信されたリスニング構成情報を受信するステップ
をさらに含み、ＵＥがリッスンされるスペクトルの干渉リスニングを実行する前記ステップが、
前記ＵＥが、前記リスニング構成情報に従って、前記リッスンされるスペクトルの干渉リスニングを実行するステップ
を含む、請求項１８に記載の方法。
【請求項２０】
リッスンされるスペクトルの記述情報が、前記ＵＥで事前設定され、前記ＵＥが前記リスニング構成情報に従って前記リッスンされるスペクトルの干渉リスニングを実行する前記ステップが、
前記ＵＥが、前記リッスンされるスペクトルの前記事前設定された記述情報に従って、前記リッスンされるスペクトルの干渉リスニングを実行するステップ
を含む、或いは、
前記リスニング構成情報が、前記リッスンされるスペクトルの記述情報を備え、前記ＵＥが前記リスニング構成情報に従って前記リッスンされるスペクトルの干渉リスニングを実行する前記ステップが、
前記ＵＥが、前記リスニング構成情報に含まれる前記リッスンされるスペクトルの前記記述情報に従って、前記リッスンされるスペクトルの干渉リスニングを実行するステップ
を含む、請求項１９に記載の方法。
【請求項２１】
前記リスニング構成情報が、使用可能なスペクトルのリスニングによって前記基地局によって取得される第２のリスニング結果を備え、前記使用可能なスペクトルが、前記リッスンされるスペクトルを備える免許不要スペクトルであり、
前記ＵＥが前記リスニング構成情報に従って前記リッスンされるスペクトルのリスニングを実行する前記ステップが、
前記ＵＥが、前記リスニング構成情報内の前記第２のリスニング結果に従って、前記リッスンされるスペクトルの記述情報を決定するステップと、
前記ＵＥが、前記リッスンされるスペクトルの前記記述情報に従って、前記リッスンされるスペクトルの干渉リスニングを実行するステップと
を含む、請求項１９に記載の方法。
【請求項２２】
前記リスニング構成情報がさらに、前記ＵＥが前記第１のリスニング結果を送信するときに占有されるリソースを示すために使用される構成情報を備え、前記構成情報が、時間領域情報、周波数領域情報及び符号領域情報のうちの少なくとも１つを備え、
前記ＵＥが前記第１のリスニング結果を前記基地局に送信する前記ステップが、具体的に、
前記ＵＥが、前記構成情報に対応する前記リソースで、前記第１のリスニング結果を前記基地局に送信するステップ
を含む、請求項１９乃至２１のいずれか一項に記載の方法。
【請求項２３】
前記リスニング構成情報がさらに、リスニング時間情報を備え、
前記リスニング時間情報が、前記ＵＥが前記リッスンされるスペクトルのリスニングの実行を開始及び／又は停止する時間を示すために使用され、ＵＥが前記リスニング構成情報に従って前記リッスンされるスペクトルのリスニングを実行する前記ステップが、
前記ＵＥが、前記リスニング時間情報に従って、前記リッスンされるスペクトルの干渉リスニングの実行を開始及び／又は停止するステップ
を含む、或いは、
前記リスニング時間情報が、前記リスニング時間情報を周期として使用するように前記ＵＥに指示するために使用され、前記ＵＥが前記リスニング構成情報に従って前記リッスンされるスペクトルのリスニングを実行する前記ステップが、
前記ＵＥが、前記リスニング時間情報の周期で、前記リッスンされるスペクトルの干渉リスニングを実行するステップ
を含む、請求項１９乃至２２のいずれか一項に記載の方法。
【請求項２４】
ＵＥがリッスンされるスペクトルの干渉リスニングを実行する前記ステップの前に、
前記ＵＥが、前記基地局によって送信されたトリガ命令を受信するステップ、及び、前記リッスンされるスペクトルの干渉リスニングの実行を開始するステップ
をさらに含む、請求項１９乃至２２のいずれか一項に記載の方法。
【請求項２５】
前記リスニング構成情報がさらに、リスニングトリガ条件に関する情報を備え、
前記ＵＥが前記リスニング構成情報に従って前記リッスンされるスペクトルのリスニングを実行する前記ステップが、
前記ＵＥが、現在使用されるチャネルの品質が前記トリガ条件を満たすと決定されたときに、前記リッスンされるスペクトルの干渉リスニングを実行するステップ
を含む、請求項１９乃至２２のいずれか一項に記載の方法。
【請求項２６】
前記第１のリスニング結果が、前記リッスンされるスペクトルの干渉信号のエネルギー情報であり、ユーザ装置ＵＥがリッスンされるスペクトルのリスニングを実行する前記ステップの前に、
前記基地局によって送信され且つ前記現在の基地局による前記リッスンされるスペクトルの使用の状況に関する情報を受信するステップであって、前記使用の状況に関する前記情報が、前記現在の基地局によって前記リッスンされるスペクトルで送信される信号に対応するデータスケジューリング情報を備える、ステップ
をさらに含み、ＵＥがリッスンされるスペクトルの干渉リスニングを実行して第１のリスニング結果を取得する前記ステップが、
前記ＵＥが、前記リッスンされるスペクトルの信号のリスニングを実行して、前記リッスンされるスペクトルの前記信号のエネルギー情報を取得し、前記現在の基地局による前記リッスンされるスペクトルの使用の状況に関する前記情報に従って、前記基地局によって送信される信号のエネルギー情報を決定するステップと、
前記ＵＥが、前記リッスンされるスペクトルの前記信号の前記エネルギー情報及び前記基地局によって送信される前記信号の前記エネルギー情報に従って、前記リッスンされるスペクトルの前記干渉信号の前記エネルギー情報を決定して、前記第１のリスニング結果を取得するステップと、
を含む、請求項１８乃至２５のいずれか一項に記載の方法。
【請求項２７】
前記第１のリスニング結果が、前記ＵＥによって選択されたアイドルスペクトルの記述情報であり、ＵＥがリッスンされるスペクトルの干渉リスニングを実行して第１のリスニング結果を取得する前記ステップが、
前記ＵＥが、前記リッスンされるスペクトルの干渉リスニングを実行して、前記リッスンされるスペクトルの干渉信号のエネルギー情報を取得するステップと、
前記ＵＥが、前記リッスンされるスペクトルの前記干渉信号の前記エネルギー情報に従って、前記リッスンされるスペクトルから、事前設定条件を満たすアイドルスペクトルを選択し、前記アイドルスペクトルの記述情報を決定して前記第１のリスニング結果を取得するステップ、を含み、前記事前設定条件が、以下の３つの項目、すなわち
リッスンされるスペクトルの干渉信号のエネルギー情報の値が、第１の事前設定値未満であることと、
リッスンされるスペクトルの信号対干渉雑音比ＳＩＮＲの値が、第２の事前設定値より大きいことであって、前記ＳＩＮＲの前記値が、前記リッスンされるスペクトルの干渉信号のエネルギー情報の値に対する、前記ＵＥによって現在使用されるチャネルの参照信号受信電力ＲＳＲＰの比率であることと、
リッスンされるスペクトルのチャネル品質インジケータＣＱＩが、第３の事前設定値より大きいことであって、前記ＣＱＩの値が、前記リッスンされるスペクトルの干渉信号のエネルギー情報の値に対する、前記ＵＥによって現在使用されるチャネルのＲＳＲＰの比率に対応することと、
のうちの少なくとも１つを備える、請求項１８乃至２５のいずれか一項に記載の方法。
【請求項２８】
ユーザ装置ＵＥによって送信された第１のリスニング結果を受信するように構成された受信モジュールであって、前記第１のリスニング結果が、免許不要スペクトルであるリッスンされるスペクトルの干渉リスニングを実行することによって前記ＵＥによって取得される、受信モジュールと、
前記第１のリスニング結果に従って、前記リッスンされるスペクトルからアイドルスペクトルを選択するように構成された、選択モジュールと、
前記アイドルスペクトルで前記ＵＥと通信するように構成された、通信モジュールと
を備える、ワイヤレス通信装置。
【請求項２９】
前記ＵＥがリスニング構成情報に従って前記リッスンされるスペクトルの干渉リスニングを実行することができるように、前記ＵＥによって送信される前記第１のリスニング結果が受信される前に、前記リスニング構成情報を前記ＵＥに送信するように構成された、第１の送信モジュールをさらに備える、請求項２８に記載の装置。
【請求項３０】
前記第１の送信モジュールが、具体的に、無線リソース制御ＲＲＣ専用シグナリング、ＲＲＣブロードキャストシグナリング、メディアアクセス制御ＭＡＣシグナリング又は物理層シグナリングを使用することによって、前記ＵＥに前記リスニング構成情報を送信するように構成された、請求項２９に記載の装置。
【請求項３１】
前記リスニング構成情報が、前記リッスンされるスペクトルの記述情報を備え、
前記リスニング構成情報を前記ＵＥに送信する前に、前記第１の送信モジュールが、
使用可能なスペクトルの干渉リスニングを実行して第２のリスニング結果を取得するように構成され、使用可能なスペクトルは、前記リッスンされるスペクトルを備える免許不要スペクトルであり、且つ、
前記第２のリスニング結果に従って、前記リッスンされるスペクトルの前記記述情報を決定するようにさらに構成された、請求項２９又は３０に記載の装置。
【請求項３２】
前記リスニング構成情報を前記ＵＥに送信する前に、前記第１の送信モジュールが、
前記リッスンされるスペクトルを備える免許不要スペクトルである使用可能なスペクトルの干渉リスニングを実行して第２のリスニング結果を取得するようにさらに構成され、
前記ＵＥが前記第２のリスニング結果に従って前記リッスンされるスペクトルの記述情報を決定することができるように、前記第１の送信モジュールが、具体的に、前記第２のリスニング結果を備える前記リスニング構成情報を前記ＵＥに送信するように構成された、請求項２９又は３０に記載の装置。
【請求項３３】
前記リスニング構成情報が、前記ＵＥが前記第１のリスニング結果を報告するときに占有されるリソースを示すために使用される報告構成情報を備え、前記報告構成情報が、時間領域情報、周波数領域情報及び符号領域情報のうちの少なくとも１つを備え、
前記受信モジュールが、具体的に、
前記ＵＥによって送信される前記第１のリスニング結果を、前記報告構成情報に対応する前記リソースで受信するように構成された、請求項２９乃至３２のいずれか一項に記載の装置。
【請求項３４】
前記リスニング構成情報が、リスニング時間情報を備え、前記リスニング時間情報が、前記ＵＥが前記リッスンされるスペクトルの干渉リスニングの実行を開始及び／又は停止する時間を示すために使用されるか、若しくは、前記リスニング時間情報が、前記リッスンされるスペクトルの干渉リスニングを前記リスニング時間情報の周期で実行するように前記ＵＥに指示するために使用され、又は、
前記ＵＥによって送信される前記第１のリスニング結果を受信する前に、前記受信モジュールが、
前記ＵＥがトリガ命令を受信した後に前記リッスンされるスペクトルの干渉リスニングの実行を開始することができるように、前記ＵＥに前記トリガ命令を送信するようにさらに構成された、請求項２９乃至３３のいずれか一項に記載の装置。
【請求項３５】
前記リスニング構成情報がさらに、リスニングトリガ条件に関する情報を備え、前記リスニングトリガ条件に関する前記情報が、現在使用されるチャネルの品質が前記トリガ条件を満たすときに前記リッスンされるスペクトルの干渉リスニングを実行するように前記ＵＥに指示するために使用される、請求項２９乃至３３のいずれか一項に記載の装置。
【請求項３６】
前記第１のリスニング結果が、前記リッスンされるスペクトルの干渉信号のエネルギー情報であり、前記装置が、
前記ユーザ装置ＵＥが、現在の基地局による前記リッスンされるスペクトルの使用の状況に関する情報に従って、前記現在の基地局によって送信される信号のエネルギー情報を決定し、前記リッスンされるスペクトルのリスニングによって取得されるエネルギー情報及び前記現在の基地局によって送信される前記信号の前記エネルギー情報に従って、前記リッスンされるスペクトルの前記干渉信号の前記エネルギー情報をさらに決定して前記第１のリスニング結果を取得することができるように、前記ＵＥによって送信される前記第１のリスニング結果が受信される前に、前記現在の基地局による前記リッスンされるスペクトルの使用の状況に関する情報であり、前記現在の基地局によって前記リッスンされるスペクトルで送信される信号に対応するデータスケジューリング情報を備える前記使用の状況に関する前記情報を前記ＵＥに送信する
ように構成された、第２の送信モジュール
をさらに備える、請求項２８乃至３５のいずれか一項に記載の装置。
【請求項３７】
前記選択モジュールが、具体的に、前記リッスンされるスペクトルの前記干渉信号の前記エネルギー情報に従って、前記リッスンされるスペクトルから事前設定条件を満たすリッスンされるスペクトルを選択するように構成され、
前記事前設定条件が、３つの項目、すなわち、
リッスンされるスペクトルの干渉信号のエネルギー情報の値が、第１の事前設定値未満であることと、
リッスンされるスペクトルの信号対干渉雑音比ＳＩＮＲの値が、第２の事前設定値より大きいことであって、前記ＳＩＮＲの前記値が、前記リッスンされるスペクトルの干渉信号のエネルギー情報の値に対する、前記ＵＥによって現在使用されるチャネルの参照信号受信電力ＲＳＲＰの比率であることと、
リッスンされるスペクトルのチャネル品質インジケータＣＱＩが、第３の事前設定値より大きいことであって、前記ＣＱＩの値が、前記リッスンされるスペクトルの干渉信号のエネルギー情報の値に対する、前記ＵＥによって現在使用されるチャネルのＲＳＲＰの比率に対応することと、
のうちの少なくとも１つを備える、請求項３６に記載の装置。
【請求項３８】
前記第１のリスニング結果が、前記ＵＥによって選択されたアイドルスペクトルの記述情報であり、前記選択モジュールが、具体的に、
前記ＵＥによって選択された前記アイドルスペクトルの前記記述情報に従って、前記リッスンされるスペクトルから前記アイドルスペクトルを決定するように構成され、
前記ＵＥによって選択された前記アイドルスペクトルの前記記述情報が、前記ＵＥが、前記リッスンされるスペクトルでの干渉信号のエネルギー情報であって、前記リッスンされるスペクトルの干渉リスニングを実行することにより前記ＵＥによって取得されるエネルギー情報に従って、前記リッスンされるスペクトルから選択し、且つ、事前設定条件を満たす、前記リッスンされるスペクトルの記述情報であり、事前設定条件が、以下の３つの項目、すなわち、
リッスンされるスペクトルの干渉信号のエネルギー情報の値が、第１の事前設定値未満であることと、
リッスンされるスペクトルの信号対干渉雑音比ＳＩＮＲの値が、第２の事前設定値より大きいことであって、前記ＳＩＮＲの前記値が、前記リッスンされるスペクトルの干渉信号のエネルギー情報の値に対する、前記ＵＥによって現在使用されるチャネルの参照信号受信電力ＲＳＲＰの比率であることと、
リッスンされるスペクトルのチャネル品質インジケータＣＱＩが、第３の事前設定値より大きいことであって、前記ＣＱＩの値が、前記リッスンされるスペクトルの干渉信号のエネルギー情報の値に対する、前記ＵＥによって現在使用されるチャネルのＲＳＲＰの比率に対応することと、
のうちの少なくとも１つを備える、請求項２８乃至３５に記載の装置。
【請求項３９】
リッスンされるスペクトルの干渉リスニングを実行して第１のリスニング結果を取得するように構成されたリスニングモジュールであって、前記リッスンされるスペクトルは免許不要スペクトルに属する、リスニングモジュールと、
前記基地局が前記リッスンされるスペクトルから前記第１のリスニング結果に従ってユーザ装置ＵＥと通信するためのアイドルスペクトルを選択することができるように、前記第１のリスニング結果を前記基地局に送信するように構成された、送信モジュールと
を備える、ワイヤレス通信装置。
【請求項４０】
リッスンされるスペクトルで干渉リスニングが実行される前に、前記基地局によって送信されたリスニング構成情報を受信するように構成された、受信モジュール
をさらに備え、
前記リスニングモジュールが、具体的に、前記リスニング構成情報に従って前記リッスンされるスペクトルの干渉リスニングを実行するように構成された、請求項３９に記載の装置。
【請求項４１】
前記リッスンされるスペクトルの記述情報が、前記リスニングモジュールにおいて事前設定され、前記リスニングモジュールが、具体的に、前記リッスンされるスペクトルの前記事前設定された記述情報に従って、前記リッスンされるスペクトルの干渉リスニングを実行するように構成され、又は、
前記リスニング構成情報が、前記リッスンされるスペクトルの記述情報を備え、前記リスニングモジュールが、具体的に、前記リスニング構成情報に含まれる前記リッスンされるスペクトルの前記記述情報に従って、前記リッスンされるスペクトルの干渉リスニングを実行するように構成された、請求項４０に記載の装置。
【請求項４２】
前記リスニング構成情報が第２のリスニング結果を備え、前記第２のリスニング結果が、使用可能なスペクトルのリスニングによって前記基地局によって取得され、前記使用可能なスペクトルが、前記リッスンされるスペクトルを備える免許不要スペクトルであり、
前記リスニングモジュールが、具体的に、
前記リスニング構成情報内の前記第２のリスニング結果に従って、前記リッスンされるスペクトルの記述情報を決定するように構成され、且つ、
前記リッスンされるスペクトルの前記記述情報に従って、前記リッスンされるスペクトルの干渉リスニングを実行するように構成された、請求項４０に記載の装置。
【請求項４３】
前記リスニング構成情報がさらに、前記送信モジュールが前記第１のリスニング結果を送信するときに占有されるリソースを示すために使用される構成情報を備え、前記構成情報が、時間領域情報、周波数領域情報及び符号領域情報のうちの少なくとも１つを備え、
前記送信モジュールが、具体的に、前記構成情報に対応する前記リソースで前記第１のリスニング結果を前記基地局に送信するように構成された、請求項４０乃至４２のいずれか一項に記載の装置。
【請求項４４】
前記リスニング構成情報がさらに、リスニング時間情報を備え、
前記リスニング時間情報が、前記リスニングモジュールが前記リッスンされるスペクトルのリスニングの実行を開始及び／又は停止する時間を示すために使用され、前記リスニングモジュールが、具体的に、前記リスニング時間情報に従って前記リッスンされるスペクトルの干渉リスニングの実行を開始及び／又は停止するように構成され、又は、
前記リスニング時間情報が、前記リスニング時間情報を周期として使用するように前記リスニングモジュールに指示するために使用され、前記リスニングモジュールが、具体的に、前記リスニング時間情報の周期で、前記リッスンされるスペクトルの干渉リスニングを実行するように構成された、請求項４０乃至４３のいずれか一項に記載の装置。
【請求項４５】
前記リッスンされるスペクトルの干渉リスニングを実行する前に、前記リスニングモジュールが、
前記基地局によって送信されたトリガ命令を受信し、前記リッスンされるスペクトルの干渉リスニングの実行を開始するようにさらに構成された、請求項４０乃至４３のいずれか一項に記載の装置。
【請求項４６】
前記リスニング構成情報がさらに、リスニングトリガ条件に関する情報を備え、
前記リスニングモジュールが、具体的に、
現在使用されるチャネルの品質が前記トリガ条件を満たすと決定されたときに、前記リッスンされるスペクトルの干渉リスニングを実行する
ように構成された、請求項４０乃至４３のいずれか一項に記載の装置。
【請求項４７】
前記第１のリスニング結果が、前記リッスンされるスペクトルの干渉信号のエネルギー情報であり、前記リッスンされるスペクトルのリスニングの実行の前に、前記リスニングモジュールが、
前記基地局によって送信され且つ前記現在の基地局による前記リッスンされるスペクトルの使用の状況に関する情報を受信するようにさらに構成され、前記使用の状況に関する前記情報は、前記現在の基地局によって前記リッスンされるスペクトルで送信される信号に対応するデータスケジューリング情報を備え、
前記リスニングモジュールが、具体的に、
前記リッスンされるスペクトルの信号のリスニングを実行して、前記リッスンされるスペクトルの前記信号のエネルギー情報を取得すること、及び、前記現在の基地局による前記リッスンされるスペクトルの使用の状況に関する前記情報に従って、前記基地局によって送信される信号のエネルギー情報を決定すること、並びに、
前記リッスンされるスペクトルの前記信号の前記エネルギー情報及び前記基地局によって送信される前記信号の前記エネルギー情報に従って、前記リッスンされるスペクトルの前記干渉信号の前記エネルギー情報を決定して前記第１のリスニング結果を取得すること
を行うように構成された、請求項３９乃至４６のいずれか一項に記載の装置。
【請求項４８】
前記第１のリスニング結果が、前記リスニングモジュールによって選択されたアイドルスペクトルの記述情報であり、前記リスニングモジュールが、具体的に、
前記リッスンされるスペクトルの干渉リスニングを実行して、前記リッスンされるスペクトルの干渉信号のエネルギー情報を取得することと、
前記リッスンされるスペクトルの前記干渉信号の前記エネルギー情報に従って、前記リッスンされるスペクトルから事前設定条件を満たすアイドルスペクトルを選択し、前記アイドルスペクトルの記述情報を決定して前記第１のリスニング結果を取得することと
を行うように構成され、前記事前設定条件が、以下の３つの項目、すなわち、
リッスンされるスペクトルの干渉信号のエネルギー情報の値が、第１の事前設定値未満であることと、
リッスンされるスペクトルの信号対干渉雑音比ＳＩＮＲの値が、第２の事前設定値より大きいことであって、前記ＳＩＮＲの前記値が、前記リッスンされるスペクトルの干渉信号のエネルギー情報の値に対する、前記ＵＥによって現在使用されるチャネルの参照信号受信電力ＲＳＲＰの比率であることと、
リッスンされるスペクトルのチャネル品質インジケータＣＱＩが、第３の事前設定値より大きいことであって、前記ＣＱＩの値が、前記リッスンされるスペクトルの干渉信号のエネルギー情報の値に対する、前記ＵＥによって現在使用されるチャネルのＲＳＲＰの比率に対応する、
のうちの少なくとも１つを備える、請求項３９乃至４６のいずれか一項に記載の装置。
【発明の詳細な説明】
【技術分野】
【０００１】
本発明の実施例は、通信技術に関し、詳細には、ワイヤレス通信方法及び装置に関する。
【背景技術】
【０００２】
スペクトルは、ワイヤレス通信の基盤である。最新の発表されたＦＣＣ（Ｆｅｄｅｒａｌ  Ｃｏｍｍｕｎｉｃａｔｉｏｎｓ  Ｃｏｍｍｉｓｓｉｏｎ，連邦通信委員会）国際スペクトル白書によれば、免許不要スペクトルリソースは、免許スペクトルリソースよりも多い。したがって、ＬＴＥ（Ｌｏｎｇ  Ｔｅｒｍ  Ｅｖｏｌｕｔｉｏｎ，ロングタームエボリューション）ユーザ装置が免許不要スペクトルに適用される場合、そのユーザ装置は、免許不要スペクトルリソースを有効に使用することができるだけではなく、モバイル広帯域サービスの高まる要件を満たすために、より有効なワイヤレスアクセスを提供することができる。
【０００３】
既存の解決法では、基地局は、ネットワークリスニングを使用し、リスニング結果に従って、免許不要スペクトルからアイドルスペクトルリソースを選択し、免許不要スペクトルでＵＥとのデータ通信を実行する。
【０００４】
しかし、基地局のリスニングプロセスでは、地理的な位置などの要因の制約により、基地局の隠れノードが存在する。たとえば、ＵＥが、基地局及び別のアクセスポイントとの共用カバレッジエリア内に位置し、その基地局が、アクセスポイントのカバレッジエリアの向こうに位置し、アクセスポイントによって送信される信号をリッスンすることができないとき、そのアクセスポイントは、その基地局の隠れノードになる。隠れノードが、免許不要スペクトルを使用することによってデータを送信し、使用される免許不要スペクトルが、基地局によって選択されたアイドルスペクトルと同じである場合、その基地局とその隠れノード及びその基地局の共用カバレッジエリア内に位置するＵＥとの間のデータ通信は、その隠れノードによる重大な干渉を受ける。
【発明の概要】
【０００５】
本発明は、従来技術の欠点を克服し、基地局とＵＥとの間の通信に生じる干渉度を低減するために、ワイヤレス通信方法及び装置を提供する。
【０００６】
第１の態様によれば、本発明の一実施例はリスニング構成方法を提供する。本方法は、
基地局がリスニング構成情報を生成するステップであって、リスニング構成情報は、干渉リスニングを実行するようにユーザ装置ＵＥを構成するために使用され、干渉リスニングは、リッスンされるスペクトル（ｔｏ−ｂｅ−ｌｉｓｔｅｎｅｄ−ｏｎ  ｓｐｅｃｔｒｕｍ）でのエネルギー検出を示し、リッスンされるスペクトルは免許不要スペクトルに属する、ステップと、
基地局がリスニング構成情報をＵＥに送信するステップと、
を含み、基地局は免許不要スペクトルを使用してＵＥと通信することができる。
【０００７】
第１の態様の第１の可能な実装方式では、リスニング構成情報は、リッスンされるスペクトルの記述情報を含む。リッスンされるスペクトルの記述情報は、ＵＥが、リッスンされるスペクトルの記述情報に従って、リッスンされるスペクトルで干渉リスニングを実行することができるように、リッスンされるスペクトルの時間領域情報及び／又は周波数領域情報を含む。
【０００８】
第１の態様の第２の可能な実装方式では、リスニング構成情報は、使用可能なスペクトルのリスニングにより基地局によって取得された第２のリスニング結果を含み、それにより、ＵＥが、第２のリスニング結果に従って、リッスンされるスペクトルの記述情報を決定することができる。使用可能なスペクトルは、リッスンされるスペクトルを含む免許不要スペクトルである。
【０００９】
第１の態様と第１の態様の第１又は第２の可能な実装方式とを参照して、第１の態様の第３の可能な実装方式では、リスニング構成情報は、ＵＥが第１のリスニング結果を報告するときに占有されるリソースを示すために使用される報告構成情報を含み、報告構成情報は、時間領域情報、周波数領域情報及び符号領域情報のうちの少なくとも１つを含む。
【００１０】
第１の態様と第１の態様の第１〜第３の可能な実装方式のうちのいずれか１つを参照して、第４の可能な実装方式では、リスニング構成情報はさらに、リスニング時間情報を含み、
リスニング時間情報は、ＵＥがリッスンされるスペクトルの干渉リスニングの実行を開始及び／又は停止する時間を示すために使用されるか、又は、
リスニング時間情報は、リッスンされるスペクトルの干渉リスニングをリスニング時間情報の周期で実行するようにＵＥに指示するために使用される。
【００１１】
第１の態様と第１の態様の第１〜第３の可能な実装方式のうちのいずれか１つを参照して、第５の可能な実装方式では、リスニング構成情報は、リスニングトリガ条件に関する情報をさらに含む。リスニングトリガ条件に関する情報は、現在使用されるチャネルの品質がトリガ条件を満たすときに、リッスンされるスペクトルの干渉リスニングを実行するようにＵＥに指示するために使用される。
【００１２】
第２の態様によれば、本発明の一実施例はワイヤレス通信方法を提供する。本方法は、
ユーザ装置ＵＥによって送信された第１のリスニング結果を受信するステップであって、第１のリスニング結果は、ＵＥがリッスンされるスペクトルの干渉リスニングを実行することによって取得され、リッスンされるスペクトルは免許不要スペクトルである、ステップと、
第１のリスニング結果に従って、リッスンされるスペクトルからアイドルスペクトルを選択するステップと、
該アイドルスペクトルでＵＥと通信するステップと、
を含む。
【００１３】
第２の態様の第１の可能な実装方式では、ＵＥによって送信される第１のリスニング結果を受信するステップの前に、本方法はさらに、
ＵＥがリスニング構成情報に従ってリッスンされるスペクトルの干渉リスニングを実行することができるように、ＵＥにリスニング構成情報を送信するステップ、
を含む。
【００１４】
第１の態様の第１の可能な実装方式を参照して、第２の態様の第２の可能な実装方式では、ＵＥにリスニング構成情報を送信するステップは、
無線リソース制御ＲＲＣ専用シグナリング、ＲＲＣブロードキャストシグナリング、媒体アクセス制御ＭＡＣシグナリング又は物理層シグナリングを使用することによって、リスニング構成情報をＵＥに送信するステップ、
を含む。
【００１５】
第２の態様の第１又は第２の可能な実装方式を参照して、第２の態様の第３の可能な実装方式では、リスニング構成情報は、リッスンされるスペクトルの記述情報を含み、
ＵＥにリスニング構成情報を送信するステップの前に、本方法はさらに、
使用可能なスペクトルの干渉リスニングを実行して第２のリスニング結果を取得するステップであって、使用可能なスペクトルは、リッスンされるスペクトルを含む免許不要スペクトルである、ステップと、
第２のリスニング結果に従って、リッスンされるスペクトルの記述情報を決定するステップと、
を含む。
【００１６】
第２の態様の第１又は第２の可能な実装方式を参照して、第２の態様の第４の可能な実装方式では、本方法は、ＵＥにリスニング構成情報を送信するステップの前に、さらに、
使用可能なスペクトルの干渉リスニングを実行して第２のリスニング結果を取得するステップであって、使用可能なスペクトルは、リッスンされるスペクトルを含む免許不要スペクトルである、ステップ、
を含み、
ＵＥがリスニング構成情報に従ってリッスンされるスペクトルの干渉リスニングを実行することができるように、ＵＥにリスニング構成情報を送信するステップは、
ＵＥが第２のリスニング結果に従ってリッスンされるスペクトルの記述情報を決定することができるように、第２のリスニング結果を含むリスニング構成情報をＵＥに送信するステップ、
を含む。
【００１７】
第２の態様の第１〜第４の可能な実装方式のいずれか１つを参照して、第２の態様の第５の可能な実装方式では、リスニング構成情報は、ＵＥが第１のリスニング結果を報告するときに占有されるリソースを示すために使用される報告構成情報を含み、報告構成情報は、時間領域情報、周波数領域情報及び符号領域情報のうちの少なくとも１つを含み、
ＵＥによって送信された第１のリスニング結果を受信するステップは、
ＵＥによって送信された第１のリスニング結果を、報告構成情報に対応するリソースで受信するステップ、
を含む。
【００１８】
第２の態様の第１〜第５の可能な実装方式のいずれか１つを参照して、第２の態様の第６の可能な実装方式では、リスニング構成情報は、リスニング時間情報を含む。リスニング時間情報は、ＵＥがリッスンされるスペクトルの干渉リスニングの実行を開始及び／又は停止する時間を示すために使用されるか、若しくは、リスニング時間情報は、リッスンされるスペクトルの干渉リスニングをリスニング時間情報の周期で実行するようにＵＥに指示するために使用される。又は、
ユーザ装置ＵＥによって送信される第１のリスニング結果を受信するステップの前に、本方法はさらに、
ＵＥが、トリガ命令を受信した後に、リッスンされるスペクトルの干渉リスニングの実行を開始するように、トリガ命令をＵＥに送信するステップ
を含む。
【００１９】
第２の態様の第１〜第５の可能な実装方式のうちのいずれか１つを参照して、第２の態様の第７の可能な実装方式では、リスニング構成情報は、リスニングトリガ条件に関する情報をさらに含み、リスニングトリガ条件に関する情報は、現在使用されるチャネルの品質がトリガ条件を満たすときに、リッスンされるスペクトルの干渉リスニングを実行するようにＵＥに指示するために使用される。
【００２０】
第２の態様及び第２の態様の第１〜第７の可能な実装方式のうちのいずれか１つを参照して、第２の態様の第８の可能な実装方式では、第１のリスニング結果は、リッスンされるスペクトルの干渉信号のエネルギー情報であり、
ユーザ装置ＵＥによって送信される第１のリスニング結果を受信するステップの前に、本方法はさらに、
現在の基地局によるリッスンされるスペクトルの使用の状況に関する情報をＵＥに送信するステップであって、ＵＥが、現在の基地局によるリッスンされるスペクトルの使用の状況に関する情報に従って、現在の基地局によって送信される信号のエネルギー情報を決定し、リッスンされるスペクトルのリスニングによって取得されるエネルギー情報及び現在の基地局によって送信される信号のエネルギー情報に従って、リッスンされるスペクトルの干渉信号のエネルギー情報をさらに決定して第１のリスニング結果を取得することができるように、使用の状況に関する情報は、現在の基地局によってリッスンされるスペクトルで送信される信号に対応するデータスケジューリング情報を含む、ステップ、
を含む。
【００２１】
第２の態様の第８の可能な実装方式を参照して、第２の態様の第９の可能な実装方式では、第１のリスニング結果に従ってリッスンされるスペクトルからアイドルスペクトルを選択するステップは、
リッスンされるスペクトルの干渉信号のエネルギー情報に従って、リッスンされるスペクトルから、事前設定条件を満たすリッスンされるスペクトルを選択するステップであって、事前設定条件は、以下の３つの項目、すなわち、
リッスンされるスペクトルの干渉信号のエネルギー情報の値が、第１の事前設定値未満であることと、
リッスンされるスペクトルの信号対干渉雑音比ＳＩＮＲ（ｓｉｇｎａｌ  ｔｏ  ｉｎｔｅｒｆｅｒｅｎｃｅ  ｐｌｕｓ  ｎｏｉｓｅ  ｒａｔｉｏ）の値が、第２の事前設定値よりも大きいことであって、ＳＩＮＲの値は、リッスンされるスペクトルの干渉信号のエネルギー情報の値に対する、ＵＥによって現在使用されるチャネルの参照信号受信電力ＲＳＲＰの比率であることと、
リッスンされるスペクトルのチャネル品質インジケータＣＱＩ（ｃｈａｎｎｅｌ  ｑｕａｌｉｔｙ  ｉｎｄｉｃａｔｏｒ）が、第３の事前設定値より大きいことであって、ＣＱＩの値は、リッスンされるスペクトルの干渉信号のエネルギー情報の値に対する、ＵＥによって現在使用されるチャネルのＲＳＲＰの比率に対応することと、
のうち少なくとも１つを含む、ステップ、
を含む。
【００２２】
第２の態様及び第２の態様の第１〜第７の可能な実装方式のうちのいずれか１つを参照して、第２の態様の第１０の可能な実装方式では、第１のリスニング結果は、ＵＥによって選択されたアイドルスペクトルの記述情報である。第１のリスニング結果に従ってリッスンされるスペクトルからアイドルスペクトルを選択するステップは、
ＵＥによって選択されたアイドルスペクトルの記述情報に従って、リッスンされるスペクトルからアイドルスペクトルを決定するステップ、
を含み、
ＵＥによって選択されたアイドルスペクトルの記述情報は、事前設定条件を満たし、且つ、リッスンされるスペクトルでの干渉信号のエネルギー情報であってリッスンされるスペクトルの干渉リスニングを実行することによって取得されるエネルギー情報に従って、ＵＥによりリッスンされるスペクトルから選択される、リッスンされるスペクトルの記述情報であり、事前設定条件は、以下の３つの項目、すなわち、
リッスンされるスペクトルの干渉信号のエネルギー情報の値が、第１の事前設定値未満であることと、
リッスンされるスペクトルの信号対干渉雑音比ＳＩＮＲの値が第２の事前設定値より大きいことであって、ＳＩＮＲの値は、リッスンされるスペクトルの干渉信号のエネルギー情報の値に対する、ＵＥによって現在使用されるチャネルの参照信号受信電力ＲＳＲＰの比率であることと、
リッスンされるスペクトルのチャネル品質インジケータＣＱＩが、第３の事前設定値より大きいことであって、ＣＱＩの値は、リッスンされるスペクトルの干渉信号のエネルギー情報の値に対する、ＵＥによって現在使用されるチャネルのＲＳＲＰの比率に対応することと、
のうちの少なくとも１つを含む。
【００２３】
第３の態様によれば、本発明の一実施例は別のワイヤレス通信方法を提供する。本方法は、
ユーザ装置ＵＥが、リッスンされるスペクトルの干渉リスニングを実行して第１のリスニング結果を取得するステップであって、リッスンされるスペクトルは免許不要スペクトルに属する、ステップと、
ＵＥが、基地局が第１のリスニング結果に従ってリッスンされるスペクトルからＵＥと通信するためのアイドルスペクトルを選択することができるように、第１のリスニング結果を基地局に送信するステップと、
を含む。
【００２４】
第３の態様の第１の可能な実装方式では、ＵＥがリッスンされるスペクトルの干渉リスニングを実行するステップの前に、本方法はさらに、
ユーザ装置ＵＥが、基地局によって送信されたリスニング構成情報を受信するステップ、
を含み、ＵＥがリッスンされるスペクトルの干渉リスニングを実行するステップは、
ＵＥが、リスニング構成情報に従って、リッスンされるスペクトルの干渉リスニングを実行するステップ、
を含む。
【００２５】
第３の態様の第１の可能な実装方式を参照して、第３の態様の第２の可能な実装方式では、リッスンされるスペクトルの記述情報がＵＥに事前設定され、ＵＥがリスニング構成情報に従ってリッスンされるスペクトルの干渉リスニングを実行するステップは、
ＵＥが、リッスンされるスペクトルの事前設定された記述情報に従って、リッスンされるスペクトルの干渉リスニングを実行するステップ、
を含む。又は、
リスニング構成情報は、リッスンされるスペクトルの記述情報を含み、ＵＥがリスニング構成情報に従ってリッスンされるスペクトルの干渉リスニングを実行するステップは、
ＵＥが、リスニング構成情報に含まれるリッスンされるスペクトルの記述情報に従って、リッスンされるスペクトルの干渉リスニングを実行するステップ、
を含む。
【００２６】
第３の態様の第１の可能な実装方式を参照して、第３の態様の第３の可能な実装方式では、リスニング構成情報は第２のリスニング結果を含む。第２のリスニング結果は、使用可能なスペクトルのリスニングによって基地局によって取得され、使用可能なスペクトルは、リッスンされるスペクトルを含む免許不要スペクトルであり、
ＵＥがリスニング構成情報に従ってリッスンされるスペクトルのリスニングを実行するステップは、
ＵＥが、リスニング構成情報内の第２のリスニング結果に従って、リッスンされるスペクトルの記述情報を決定するステップと、
ＵＥが、リッスンされるスペクトルの記述情報に従って、リッスンされるスペクトルの干渉リスニングを実行するステップと、
を含む。
【００２７】
第３の態様の第１〜第３の可能な実装方式のうちのいずれか１つを参照して、第３の態様の第４の可能な実装方式では、リスニング構成情報はさらに、ＵＥが第１のリスニング結果を送信するときに占有されるリソースを示すために使用される構成情報を含む。構成情報は、時間領域情報、周波数領域情報及び符号領域情報のうちの少なくとも１つを含み、
ＵＥが第１のリスニング結果を基地局に送信するステップは、具体的に、
ＵＥが、構成情報に対応するリソースで、第１のリスニング結果を基地局に送信するステップ
を含む。
【００２８】
第３の態様の第１〜第４の可能な実装方式のうちのいずれか１つを参照して、第３の態様の第５の可能な実装方式では、リスニング構成情報はさらにリスニング時間情報を含み、
リスニング時間情報は、ＵＥがリッスンされるスペクトルのリスニングの実行を開始及び／又は停止する時間を示すために使用される。ＵＥがリスニング構成情報に従ってリッスンされるスペクトルのリスニングを実行するステップは、ＵＥが、リスニング時間情報に従って、リッスンされるスペクトルの干渉リスニングの実行を開始及び／又は停止するステップ、を含む。又は、
リスニング時間情報は、リスニング時間情報を周期として使用するようにＵＥに指示するために使用される。ＵＥがリスニング構成情報に従ってリッスンされるスペクトルのリスニングを実行するステップは、ＵＥが、リスニング時間情報を周期として、リッスンされるスペクトルの干渉リスニングを実行するステップ、を含む。
【００２９】
第３の態様の第１〜第４の可能な実装方式のうちのいずれか１つを参照して、第３の態様の第６の可能な実装方式では、ＵＥがリッスンされるスペクトルの干渉リスニングを実行するステップの前に、本方法はさらに、
ＵＥが、基地局によって送信されたトリガ命令を受信し、リッスンされるスペクトルの干渉リスニングの実行を開始するステップ、
を含む。
【００３０】
第３の態様の第１〜第４の可能な実装方式のうちのいずれか１つを参照して、第３の態様の第７の可能な実装方式では、リスニング構成情報は、リスニングトリガ条件に関する情報をさらに含み、
ＵＥがリスニング構成情報に従ってリッスンされるスペクトルのリスニングを実行するステップは、
ＵＥが、現在使用されるチャネルの品質がトリガ条件を満たすと決定されたときに、リッスンされるスペクトルの干渉リスニングを実行するステップ、
を含む。
【００３１】
第３の態様及び第３の態様の第１〜第７の可能な実装方式のうちのいずれか１つを参照して、第３の態様の第８の可能な実装方式では、第１のリスニング結果は、リッスンされるスペクトルの干渉信号のエネルギー情報である。ユーザ装置ＵＥがリッスンされるスペクトルのリスニングを実行するステップの前に、本方法はさらに、
基地局によって送信された、現在の基地局によるリッスンされるスペクトルの使用の状況に関する情報を受信するステップであって、使用の状況に関する情報は、現在の基地局によってリッスンされるスペクトルで送信される信号に対応するデータスケジューリング情報を含む、ステップ、
を含み、
ＵＥがリッスンされるスペクトルの干渉リスニングを実行して第１のリスニング結果を取得するステップは、
ＵＥが、リッスンされるスペクトルの信号のリスニングを実行して、リッスンされるスペクトルの信号のエネルギー情報を取得し、現在の基地局によるリッスンされるスペクトルの使用の状況に関する情報に従って、基地局によって送信される信号のエネルギー情報を決定するステップと、
ＵＥが、リッスンされるスペクトルの信号のエネルギー情報及び基地局によって送信される信号のエネルギー情報に従って、リッスンされるスペクトルの干渉信号のエネルギー情報を決定して、第１のリスニング結果を取得するステップと、
を含む。
【００３２】
第３の態様及び第３の態様の第１〜第７の可能な実装方式のうちのいずれか１つを参照して、第３の態様の第９の可能な実装方式では、第１のリスニング結果は、ＵＥによって選択されたアイドルスペクトルの記述情報である。ＵＥがリッスンされるスペクトルの干渉リスニングを実行して第１のリスニング結果を取得するステップは、
ＵＥが、リッスンされるスペクトルの干渉リスニングを実行して、リッスンされるスペクトルの干渉信号のエネルギー情報を取得するステップと、
ＵＥが、リッスンされるスペクトルの干渉信号のエネルギー情報に従って、事前設定条件を満たすアイドルスペクトルをリッスンされるスペクトルから選択し、該アイドルスペクトルの記述情報を決定して第１のリスニング結果を取得するステップと、
を含む。事前設定条件は、以下の３つの項目、すなわち、
リッスンされるスペクトルの干渉信号のエネルギー情報の値が、第１の事前設定値未満であることと、
リッスンされるスペクトルの信号対干渉雑音比ＳＩＮＲの値が第２の事前設定値より大きいことであって、ＳＩＮＲの値は、リッスンされるスペクトルの干渉信号のエネルギー情報の値に対する、ＵＥによって現在使用されるチャネルの参照信号受信電力ＲＳＲＰの比率であることと、
リッスンされるスペクトルのチャネル品質インジケータＣＱＩが、第３の事前設定値より大きいことであって、ＣＱＩの値は、リッスンされるスペクトルの干渉信号のエネルギー情報の値に対する、ＵＥによって現在使用されるチャネルのＲＳＲＰの比率に対応することと、
のうちの少なくとも１つを含む。
【００３３】
第４の態様によれば、本発明の一実施例はワイヤレス通信装置を提供する。本装置は、
ユーザ装置ＵＥによって送信された第１のリスニング結果を受信するように構成された受信モジュールであって、第１のリスニング結果は、ＵＥによりリッスンされるスペクトルの干渉リスニングを実行することによって取得され、リッスンされるスペクトルは免許不要スペクトルである、受信モジュールと、
第１のリスニング結果に従って、リッスンされるスペクトルからアイドルスペクトルを選択するように構成された選択モジュールと、
該アイドルスペクトルでＵＥと通信するように構成された通信モジュールと、
を備える。
【００３４】
第４の態様の第１の可能な実装方式では、本装置はさらに、
ＵＥがリスニング構成情報に従ってリッスンされるスペクトルの干渉リスニングを実行することができるように、ＵＥによって送信された第１のリスニング結果が受信される前に、リスニング構成情報をＵＥに送信するように構成された第１の送信モジュール、
を備える。
【００３５】
第４の態様の第１の可能な実装方式を参照して、第４の態様の第２の可能な実装方式では、第１の送信モジュールは、具体的に、無線リソース制御ＲＲＣ専用シグナリング、ＲＲＣブロードキャストシグナリング、メディアアクセス制御ＭＡＣシグナリング又は物理層シグナリングを使用することによってＵＥにリスニング構成情報を送信するように構成される。
【００３６】
第４の態様の第１又は第２の可能な実装方式を参照して、第４の態様の第３の可能な実装方式では、リスニング構成情報は、リッスンされるスペクトルの記述情報を含み、
第１の送信モジュールはさらに、リスニング構成情報をＵＥに送信する前に、
使用可能なスペクトルの干渉リスニングを実行して第２のリスニング結果を取得するように構成され、使用可能なスペクトルは、リッスンされるスペクトルを含む免許不要スペクトルであり、且つ、
第２のリスニング結果に従って、リッスンされるスペクトルの記述情報を決定するように構成される。
【００３７】
第４の態様の第１又は第２の可能な実装方式を参照して、第４の態様の第４の可能な実装方式では、第１の送信モジュールはさらに、リスニング構成情報をＵＥに送信する前に、
使用可能なスペクトルの干渉リスニングを実行して第２のリスニング結果を取得するように構成され、使用可能なスペクトルは、リッスンされるスペクトルを含む免許不要スペクトルであり、
第１の送信モジュールは、具体的に、ＵＥが第２のリスニング結果に従ってリッスンされるスペクトルの記述情報を決定することができるように、第２のリスニング結果を含むリスニング構成情報をＵＥに送信するように構成される。
【００３８】
第４の態様の第１〜第４の可能な実装方式のうちのいずれか１つを参照して、第４の態様の第５の可能な実装方式では、リスニング構成情報は、ＵＥが第１のリスニング結果を報告するときに占有されるリソースを示すために使用される報告構成情報を含み、報告構成情報は、時間領域情報、周波数領域情報及び符号領域情報のうちの少なくとも１つを含み、
受信モジュールは、具体的に、
該報告構成情報に対応するリソースで、ＵＥによって送信された第１のリスニング結果を受信するように構成される。
【００３９】
第４の態様の第１〜第５の可能な実装方式のうちのいずれか１つを参照して、第４の態様の第６の可能な実装方式では、リスニング構成情報はリスニング時間情報を含む。リスニング時間情報は、ＵＥがリッスンされるスペクトルの干渉リスニングの実行を開始及び／又は停止する時間を示すために使用されるか、若しくは、リスニング時間情報は、リスニング時間情報を周期としてリッスンされるスペクトルの干渉リスニングを実行するようにＵＥに指示するために使用される。又は、
受信モジュールはさらに、ＵＥによって送信される第１のリスニング結果を受信する前に、
ＵＥがトリガ命令を受信した後にリッスンされるスペクトルの干渉リスニングの実行を開始することができるように、ＵＥにトリガ命令を送信するように構成される。
【００４０】
第４の態様の第１〜第５の可能な実装方式のうちのいずれか１つを参照して、第４の態様の第７の可能な実装方式では、リスニング構成情報は、リスニングトリガ条件に関する情報をさらに含む。リスニングトリガ条件に関する情報は、現在使用されるチャネルの品質がトリガ条件を満たすときに、リッスンされるスペクトルの干渉リスニングを実行するようにＵＥに指示するために使用される。
【００４１】
第４の態様及び第４の態様の第１〜第７の可能な実装方式のうちのいずれか１つを参照して、第４の態様の第８の可能な実装方式では、第１のリスニング結果は、リッスンされるスペクトルの干渉信号のエネルギー情報であり、
本装置は、第２の送信モジュールをさらに備える。第２の送信モジュールは、ＵＥが、現在の基地局によるリッスンされるスペクトルの使用の状況に関する情報に従って、現在の基地局によって送信される信号のエネルギー情報を決定し、リッスンされるスペクトルのリスニングによって取得されるエネルギー情報及び現在の基地局によって送信される信号のエネルギー情報に従って、リッスンされるスペクトルの干渉信号のエネルギー情報をさらに決定して第１のリスニング結果を取得することができるように、ユーザ装置ＵＥによって送信される第１のリスニング結果が受信される前に、現在の基地局によるリッスンされるスペクトルの使用の状況に関する情報をＵＥに送信するように構成される。使用の状況に関する情報は、現在の基地局によりリッスンされるスペクトルで送信される信号に対応するデータスケジューリング情報を含む。
【００４２】
第４の態様の第８の可能な実装方式を参照して、第４の態様の第９の可能な実装方式では、選択モジュールは、具体的に、リッスンされるスペクトルの干渉信号のエネルギー情報に従って、リッスンされるスペクトルから事前設定条件を満たすリッスンされるスペクトルを選択するように構成される。事前設定条件は、以下の３つの項目、すなわち、
リッスンされるスペクトルの干渉信号のエネルギー情報の値が、第１の事前設定値未満であることと、
リッスンされるスペクトルの信号対干渉雑音比ＳＩＮＲの値が第２の事前設定値より大きいことであって、ＳＩＮＲの値は、リッスンされるスペクトルの干渉信号のエネルギー情報の値に対する、ＵＥによって現在使用されるチャネルの参照信号受信電力ＲＳＲＰの比率であることと、
リッスンされるスペクトルのチャネル品質インジケータＣＱＩが、第３の事前設定値より大きいことであって、ＣＱＩの値は、リッスンされるスペクトルの干渉信号のエネルギー情報の値に対する、ＵＥによって現在使用されるチャネルのＲＳＲＰの比率に対応することと、
のうちの少なくとも１つを含む。
【００４３】
第４の態様及び第４の態様の第１〜第７の可能な実装方式のうちのいずれか１つを参照して、第４の態様の第１０の可能な実装方式では、第１のリスニング結果は、ＵＥによって選択されたアイドルスペクトルの記述情報であり、選択モジュールは、具体的に、
ＵＥによって選択されたアイドルスペクトルの記述情報に従って、リッスンされるスペクトルからアイドルスペクトルを決定するように構成され、
ＵＥによって選択されたアイドルスペクトルの記述情報は、事前設定条件を満たし、且つ、リッスンされるスペクトルでの干渉信号のエネルギー情報であってリッスンされるスペクトルの干渉リスニングを実行することによって取得されるエネルギー情報に従って、ＵＥによりリッスンされるスペクトルから選択される、リッスンされるスペクトルの記述情報であり、事前設定条件は、以下の３つの項目、すなわち、
リッスンされるスペクトルの干渉信号のエネルギー情報の値が、第１の事前設定値未満であることと、
リッスンされるスペクトルの信号対干渉雑音比ＳＩＮＲの値が第２の事前設定値より大きいことであって、ＳＩＮＲの値は、リッスンされるスペクトルの干渉信号のエネルギー情報の値に対する、ＵＥによって現在使用されるチャネルの参照信号受信電力ＲＳＲＰの比率であることと、
リッスンされるスペクトルのチャネル品質インジケータＣＱＩが、第３の事前設定値より大きいことであって、ＣＱＩの値は、リッスンされるスペクトルの干渉信号のエネルギー情報の値に対する、ＵＥによって現在使用されるチャネルのＲＳＲＰの比率に対応することと、
のうちの少なくとも１つを含む。
【００４４】
第５の態様によれば、本発明の一実施例は別のワイヤレス通信装置を提供する。本装置は、
リッスンされるスペクトルの干渉リスニングを実行して第１のリスニング結果を取得するように構成されたリスニングモジュールであって、リッスンされるスペクトルは免許不要スペクトルに属する、リスニングモジュールと、
基地局が第１のリスニング結果に従ってリッスンされるスペクトルからユーザ装置ＵＥと通信するためのアイドルスペクトルを選択することができるように、第１のリスニング結果を基地局に送信するように構成された送信モジュールと、
を備える。
【００４５】
第５の態様の第１の可能な実装方式では、本装置はさらに、
リッスンされるスペクトルで干渉リスニングが実行される前に、基地局によって送信されたリスニング構成情報を受信するように構成された受信モジュール、
を備え、
リスニングモジュールは、具体的に、リスニング構成情報に従って、リッスンされるスペクトルの干渉リスニングを実行するように構成される。
【００４６】
第５の態様の第１の可能な実装方式を参照して、第５の態様の第２の可能な実装方式では、リッスンされるスペクトルの記述情報がリスニングモジュールにおいて事前設定され、リスニングモジュールは、具体的に、リッスンされるスペクトルの事前設定された記述情報に従って、該リッスンされるスペクトルの干渉リスニングを実行するように構成される。又は、
リスニング構成情報が、リッスンされるスペクトルの記述情報を含み、リスニングモジュールは、具体的に、リスニング構成情報に含まれるリッスンされるスペクトルの記述情報に従って、リッスンされるスペクトルの干渉リスニングを実行するように構成される。
【００４７】
第５の態様の第１の可能な実装方式を参照して、第５の態様の第３の可能な実装方式では、リスニング構成情報は第２のリスニング結果を含む。第２のリスニング結果は、使用可能なスペクトルのリスニングによって基地局によって取得され、使用可能なスペクトルは、リッスンされるスペクトルを含む免許不要スペクトルであり、
リスニングモジュールは、具体的に、
リスニング構成情報内の第２のリスニング結果に従って、リッスンされるスペクトルの記述情報を決定し、
リッスンされるスペクトルの記述情報に従って、リッスンされるスペクトルの干渉リスニングを実行するように構成される。
【００４８】
第５の態様の第１〜第３の可能な実装方式のうちのいずれか１つを参照して、第５の態様の第４の可能な実装方式では、リスニング構成情報はさらに、送信モジュールが第１のリスニング結果を送信するときに占有されるリソースを示すために使用される構成情報を含み、構成情報は、時間領域情報、周波数領域情報及び符号領域情報のうちの少なくとも１つを含み、
送信モジュールは、具体的に、構成情報に対応するリソースで第１のリスニング結果を基地局に送信するように構成される。
【００４９】
第５の態様の第１〜第４の可能な実装方式のうちのいずれか１つを参照して、第５の態様の第５の可能な実装方式では、リスニング構成情報はさらにリスニング時間情報を含み、
リスニング時間情報は、リスニングモジュールがリッスンされるスペクトルのリスニングの実行を開始及び／又は停止する時間を示すために使用され、リスニングモジュールは、具体的に、リスニング時間情報に従って、リッスンされるスペクトルの干渉リスニングの実行を開始及び／又は停止するように構成される。又は、
リスニング時間情報は、リスニング時間情報を周期として使用するようにリスニングモジュールに指示するために使用され、リスニングモジュールは、具体的に、リスニング時間情報を周期として、リッスンされるスペクトルの干渉リスニングを実行するように構成される。
【００５０】
第５の態様の第１〜第４の可能な実装方式のうちのいずれか１つを参照して、第５の態様の第６の可能な実装方式では、リスニングモジュールはさらに、リッスンされるスペクトルの干渉リスニングを実行する前に、基地局によって送信されたトリガ命令を受信し、リッスンされるスペクトルの干渉リスニングの実行を開始するように構成される。
【００５１】
第５の態様の第１〜第４の可能な実装方式のうちのいずれか１つを参照して、第５の態様の第７の可能な実装方式では、リスニング構成情報は、リスニングトリガ条件に関する情報をさらに含み、
リスニングモジュールは、具体的に、現在使用されるチャネルの品質がトリガ条件を満たすと決定されたときに、リッスンされるスペクトルの干渉リスニングを実行するように構成される。
【００５２】
第５の態様及び第５の態様の第１〜第７の可能な実装方式のうちのいずれか１つを参照して、第５の態様の第８の可能な実装方式では、第１のリスニング結果は、リッスンされるスペクトルの干渉信号のエネルギー情報であり、リスニングモジュールはさらに、リッスンされるスペクトルのリスニングの実行の前に、
基地局によって送信される現在の基地局によるリッスンされるスペクトルの使用の状況に関する情報を受信するように構成され、使用の状況に関する情報は、リッスンされるスペクトルで現在の基地局によって送信される信号に対応するデータスケジューリング情報を含み、
リスニングモジュールは、具体的に、
リッスンされるスペクトルの信号のリスニングを実行して、該リッスンされるスペクトルの信号のエネルギー情報を取得し、現在の基地局による該リッスンされるスペクトルの使用の状況に関する情報に従って、基地局によって送信される信号のエネルギー情報を決定するように構成され、
リッスンされるスペクトルの信号のエネルギー情報及び基地局によって送信される信号のエネルギー情報に従って、該リッスンされるスペクトルの干渉信号のエネルギー情報を決定して第１のリスニング結果を取得するように構成される。
【００５３】
第５の態様及び第５の態様の第１〜第７の可能な実装方式のうちのいずれか１つを参照して、第５の態様の第９の可能な実装方式では、第１のリスニング結果は、リスニングモジュールによって選択されたアイドルスペクトルの記述情報であり、リスニングモジュールは、具体的に、
リッスンされるスペクトルの干渉リスニングを実行して、該リッスンされるスペクトルの干渉信号のエネルギー情報を取得するように構成され、
リッスンされるスペクトルの干渉信号のエネルギー情報に従って、リッスンされるスペクトルから事前設定条件を満たすアイドルスペクトルを選択し、該アイドルスペクトルの記述情報を決定して第１のリスニング結果を取得するように構成され、
事前設定条件は、以下の３つの項目、すなわち、
リッスンされるスペクトルの干渉信号のエネルギー情報の値が、第１の事前設定値未満であることと、
リッスンされるスペクトルの信号対干渉雑音比ＳＩＮＲの値が第２の事前設定値より大きいことであって、ＳＩＮＲの値は、リッスンされるスペクトルの干渉信号のエネルギー情報の値に対する、ＵＥによって現在使用されるチャネルの参照信号受信電力ＲＳＲＰの比率であることと、
リッスンされるスペクトルのチャネル品質インジケータＣＱＩが、第３の事前設定値より大きいことであって、ＣＱＩの値は、リッスンされるスペクトルの干渉信号のエネルギー情報の値に対する、ＵＥによって現在使用されるチャネルのＲＳＲＰの比率に対応することと、
のうちの少なくとも１つを含む。
【００５４】
本発明の技術的解決法では、ＵＥがリッスンされるスペクトルのリスニングを実行するので、基地局の干渉リスニング範囲を拡張し、基地局の隠れノードを発見することができる。したがって、基地局は、適切な免許不要スペクトルを選択してＵＥと通信することができ、それによって、選択された免許不要スペクトルにおいて基地局とＵＥとの間の通信に生じ得る干渉の強度を低減することができる。
【００５５】
本発明の実施例及び従来技術における技術的解決法をより明確に説明するために、実施例又は従来技術を説明するために必要とされる添付の図面について以下に簡単に説明する。明らかなように、以下の説明にある添付の図面は、本発明のいくつかの実施例を示し、当業者は、これらの添付の図面から創造的な努力なしに他の図面をさらに導出し得る。
【図面の簡単な説明】
【００５６】
【図１】本発明の実施例１によるワイヤレス通信方法の流れ図である。
【図２】本発明の実施例２によるワイヤレス通信方法の流れ図である。
【図３】本発明の実施例３によるワイヤレス通信方法の流れ図である。
【図４】本発明の実施例４によるワイヤレス通信装置の概略的構造図である。
【図５】本発明の実施例５によるワイヤレス通信装置の概略的構造図である。
【図６】本発明の実施例６による基地局の概略的構造図である。
【図７】本発明の実施例７によるユーザ装置の概略的構造図である。
【発明を実施するための形態】
【００５７】
本発明の実施例の目的、技術的解決法及び利点をより明確にするために、以下、本発明の実施例では添付の図面を参照して、本発明の実施例における技術的解決法を明確且つ完全に説明する。明らかなように、説明される実施例は、本発明の実施例の一部でありすべてではない。創造的努力なしに本発明の実施例に基づいて当業者によって得られるすべての他の実施例は、本発明の保護範囲内にあるものとする。
【００５８】
実施例１
図１は、本発明の実施例１によるワイヤレス通信方法の流れ図である。図１を参照すると、本実施例の本方法は、具体的に、以下のステップを含む。
【００５９】
ステップ１０１：基地局が、リスニング構成情報をユーザ装置ＵＥに送信する。
【００６０】
本実施例では、基地局は、ＬＴＥ（Ｌｏｎｇ  Ｔｅｒｍ  Ｅｖｏｌｕｔｉｏｎ，ロングタームエボリューション）システム内の基地局でもよく、具体的に、マクロ基地局、又は、メトロセル若しくはマイクロセル若しくはピコセル若しくはフェムトセルのアクセスデバイスを含み得る。さらに、本明細書では、基地局は、ワイヤレスフィディリティ（Ｗｉｒｅｌｅｓｓ  Ｆｉｄｅｌｉｔｙ，Ｗｉ−Ｆｉ）技術を使用するワイヤレスローカルエリアネットワーク（Ｗｉｒｅｌｅｓｓ  Ｌｏｃａｌ  Ａｒｅａ  Ｎｅｔｗｏｒｋ，ＷＬＡＮ）のアクセスポイント（Ａｃｃｅｓｓ  Ｐｏｉｎｔ，ＡＰ）でもよい。基地局によって送信されるリスニング構成情報は、具体的には、無線リソース制御ＲＲＣ専用シグナリング、ＲＲＣブロードキャストシグナリング、メディアアクセス制御ＭＡＣシグナリング、物理層シグナリングなどを使用することによって、送信され得る。
【００６１】
任意に、本実施例の本方法はさらに、ステップ１０１の前に、基地局がリスニング構成情報を生成するステップ、を含む。
【００６２】
ステップ１０２：ＵＥが、リスニング構成情報に従って、リッスンされるスペクトルの干渉リスニングを実行して第１のリスニング結果を取得する。
【００６３】
実際の適用例では、リッスンされるスペクトルは、免許不要スペクトルでもよく、又は免許スペクトルでもよい。本実施例では、リッスンされるスペクトルは、好ましくは、免許不要（unlicensed）スペクトルである。
【００６４】
任意に、リスニング構成情報は、リッスンされるスペクトルの記述情報を含み得る。本ステップでは、ＵＥは、具体的には、リスニング構成情報に含まれるリッスンされるスペクトルの記述情報に従って、リッスンされるスペクトルの干渉リスニングを実行する。リッスンされるスペクトルの記述情報は、リッスンされるスペクトルの時間領域情報及び／又は周波数領域情報を含む。時間領域情報は、サブフレームセット情報など、リッスンされるスペクトルの１つ又は複数のキャリアのリスニングを実行するための時間セット情報によって表され得る。時間領域情報は、周波数間測定ギャップ（Ｍｅａｓｕｒｅｍｅｎｔ  ｇａｐ）を構成する方式で実装することができ、又は、本明細書で限定されない別の方式で実装することができる。基地局が、リッスンされるスペクトルで信号を送信しない場合、ＵＥは、そのリッスンされるスペクトルでの時間を現在使用されるスペクトルでの時間として理解し得ることに留意されたい。たとえば、リッスンされるスペクトルの第ｎのサブフレームは、現在使用されるスペクトルのサブフレーム情報に従って決定され得る。リッスンされるスペクトルの記述情報は、基地局で事前設定することができ、又は基地局によって一時的に決定され得る。好ましくは、本実施例では、ＵＥの負荷を軽減するために、且つＵＥによってリッスンされることになるスペクトルを正確に狭めるために、基地局は、最初に、使用可能なスペクトルのリスニングを予め実行することができ、そして、基地局は、リッスンされるスペクトルの記述情報を取得するために、リスニング結果に従って、相対的にアイドル状態であるスペクトルを除去し、スペクトルの記述情報を決定する。使用可能なスペクトルは、リッスンされるスペクトルを含む免許不要スペクトルであり、具体的には、すべての免許不要スペクトルを指し得る。対応して、ステップ１０１の前に、基地局はさらに、
使用可能なスペクトルの干渉リスニングを実行して第２のリスニング結果を取得するステップであって、使用可能なスペクトルは、リッスンされるスペクトルを含む免許不要スペクトルである、ステップ、
を実行する。
【００６５】
別法として、基地局は、リスニングを用いて取得された第２のリスニング結果をリスニング構成情報に含めることによって、第２のリスニング結果をＵＥに送信する。ステップ１０２では、ＵＥがリッスンされるスペクトルの干渉リスニングをリスニング構成情報に従って実行することは、ＵＥが、第２のリスニング結果に従って、相対的にアイドル状態であるスペクトルを決定するステップと、リッスンされるスペクトルの記述情報を取得するために、アイドルスペクトルの記述情報を決定するステップと、リッスンされるスペクトルの決定された記述情報に従って、リッスンされるスペクトルの干渉リスニングを実行するステップと、を含む。
【００６６】
別法として、リッスンされるスペクトルの記述情報は、ＵＥにおいて事前設定される。ＵＥは、ＵＥにおいて事前設定されるリッスンされるスペクトルの記述情報に従って、干渉リスニングを実行する。
【００６７】
前述の第２のリスニング結果は、具体的には、使用可能なスペクトルの信号のエネルギー情報であってもよい。
【００６８】
任意に、ＵＥの干渉リスニングを制御するために、ステップ１０２の前に、基地局は、トリガ命令をＵＥに送信することによって、ＵＥの干渉リスニングを開始又は終了することができる。
【００６９】
任意に、ＵＥの干渉リスニングを制御するために、基地局はまた、リスニング時間情報又はリスニングトリガ条件に関する情報をリスニング構成情報に含めることによって、ＵＥの干渉リスニングを制御することができる。リスニング時間情報は、ＵＥがリッスンされるスペクトルの干渉リスニングの実行を開始及び／又は停止する時間を示すために使用され、又は、リッスンされるスペクトルの干渉リスニングをリスニング時間情報の周期で実行するようにＵＥに指示するために使用される。リスニングトリガ条件は、現在使用されるチャネルの品質がトリガ条件を満たすときに、リッスンされるスペクトルの干渉リスニングを実行するようにＵＥに指示するために使用される。対応して、ステップ１０２では、ＵＥが、リスニング構成情報に従って、リッスンされるスペクトルの干渉リスニングを実行することは、具体的に、リスニング時間情報又はリスニング構成情報内のリスニングトリガ条件に関する情報に従って、リッスンされるスペクトルの干渉リスニングを実行するステップ、を含む。ＵＥによって現在使用されるチャネルの品質は、現在使用されるチャネルの参照信号受信電力ＲＳＲＰ（Ｒｅｆｅｒｅｎｃｅ  ｓｉｇｎａｌ  ｒｅｃｅｉｖｅｄ  ｐｏｗｅｒ）、参照信号受信品質ＲＳＲＱ（Ｒｅｆｅｒｅｎｃｅ  ｓｉｇｎａｌ  ｒｅｃｅｉｖｅｄ  ｑｕａｌｉｔｙ）、チャネル品質インジケータＣＱＩ（Ｃｈａｎｎｅｌ  ｑｕａｌｉｔｙ  ｉｎｄｉｃａｔｏｒ）及び受信信号強度インジケータＲＳＳＩ（Ｒｅｃｅｉｖｅｄ  ｓｉｇｎａｌ  ｓｔｒｅｎｇｔｈ  ｉｎｄｉｃａｔｏｒ）のうちの少なくとも１つに従って、決定され得る。
【００７０】
加えて、ＵＥにおいてリスニング時間情報又はリスニングトリガ条件に関する情報を事前設定することによって、ＵＥはまた、事前設定リスニング時間情報又はリスニングトリガ条件に従って、リッスンされるスペクトルでＵＥによって実行される干渉リスニングを制御することができる。
【００７１】
ステップ１０３：ＵＥが、第１のリスニング結果を基地局に送信する。
【００７２】
本実施例では、リスニング構成情報はさらに、ＵＥが第１のリスニング結果を報告するときに占有されるリソースを示す報告構成情報を含むことができる。又は、報告構成情報はＵＥで事前定義及び事前設定され、報告構成情報は、時間領域情報、周波数領域情報及び符号領域情報のうちの少なくとも１つを含む。対応して、ＵＥが第１のリスニング結果を基地局に送信するステップ１０３は、
ＵＥが、報告構成情報に対応するリソースで、第１のリスニング結果を基地局に送信するステップ
を含む。
【００７３】
ステップ１０４：基地局が、第１のリスニング結果に従って、リッスンされるスペクトルからアイドルスペクトルを選択する。
【００７４】
ＵＥによって報告される第１のリスニング結果は、リッスンされるスペクトルの干渉信号のエネルギー情報でもよく、又はＵＥによって選択されたアイドルスペクトルの記述情報でもよい。
【００７５】
基地局が、リッスンされるスペクトルで別のＵＥにデータサービスを提供するとき、リッスンされるスペクトルの信号のリスニングを実行することによってＵＥによって取得されるエネルギー情報は、干渉信号のエネルギー信号と、現在の基地局によって送信される信号のエネルギー情報Ｓとを含む。干渉信号は、現在の基地局を除く別のデバイス（別の基地局、ワイファイデバイスなどでもよい）によってリッスンされるスペクトルで送信される信号である。干渉信号のエネルギー情報は、干渉信号のエネルギーＩ（Ｉｎｔｅｒｆｅｒｅｎｃｅ）によって表すことができ、又は、Ｉ及び雑音Ｎ（noise）によって表すことができる。したがって、干渉信号のエネルギー情報の値は、干渉信号のエネルギーＩと等しくなり得、又は、Ｉ及び雑音Ｎの合計と等しくなり得る。具体的には、本実施例では、干渉信号のエネルギー情報の値がＩ＋Ｎであることが、一例として使用される。基地局によって送信される信号は、ＵＥによる干渉信号のリスニングの結果に影響を及ぼす。基地局によって送信される信号のインパクトが考慮されない場合、又は基地局がリッスンされるスペクトルで信号を送信しないとき、リッスンされるスペクトルの干渉信号のエネルギー情報は、ＵＥがそのリッスンされるスペクトルのすべての信号でエネルギー検出を実行することによって取得され得る。干渉リスニングの精度をさらに向上させるために、基地局によって送信される信号の第１のリスニング結果に対するインパクトを排除する必要がある場合、本実施例では、ステップ１０２の前に、本方法はさらに、
基地局が、リッスンされるスペクトルの現在の基地局による使用の状況に関する情報をＵＥに送信するステップであって、使用の状況に関する情報は、リッスンされるスペクトルで現在の基地局によって送信される信号に対応するデータスケジューリング情報を含む、ステップ、
を含む。
【００７６】
具体的に、任意のＵＥが、構文解析を用いて、リッスンされるスペクトルの使用の状況に関する情報を取得し、リッスンされるスペクトルでのデータスケジューリング状況を学習することができるように、リッスンされるスペクトルの使用の状況に関し基地局によって送信される情報は、ユーザ装置ＩＤ（Ｕｓｅｒ  ｅｑｕｉｐｍｅｎｔ  ｉｄｅｎｔｉｆｉｃａｔｉｏｎ，ＵＥ  ＩＤ）を搬送しない。リッスンされるスペクトルの使用の状況に関し基地局によって送信される情報は、具体的に、物理ダウンリンク制御チャネルＰＤＣＣＨ（Ｐｈｙｓｉｃａｌ  ｄｏｗｎｌｉｎｋ  ｃｏｎｔｒｏｌ  ｃｈａｎｎｅｌ）で搬送することができ、又は拡張ダウンリンク制御チャネルＥＰＤＣＣＨ（Ｅｎｈａｎｃｅｄ  ｐｈｙｓｉｃａｌ  ｄｏｗｎｌｉｎｋ  ｃｏｎｔｒｏｌ  ｃｈａｎｎｅｌ）で搬送することができる。
【００７７】
対応して、第１のリスニング結果がリッスンされるスペクトルの干渉信号のエネルギー情報である場合、ＵＥがリスニング構成情報に従って、リッスンされるスペクトルの干渉リスニングを実行して第１のリスニング結果を取得するステップ１０２はさらに、具体的に、
ＵＥが、リッスンされるスペクトルの信号のリスニングを実行して、リッスンされるスペクトルの信号のエネルギー情報を取得し、現在の基地局によるリッスンされるスペクトルの使用の状況に関する情報に従って、基地局によって送信される信号のエネルギー情報を決定するステップと、
ＵＥが、リッスンされるスペクトルの信号のエネルギー情報及び基地局によって送信される信号のエネルギー情報に従って、そのリッスンされるスペクトルの干渉信号のエネルギー情報を決定して第１のリスニング結果を取得するステップと、
を含む。
【００７８】
前述の実施例では、基地局が、現在の基地局によるリッスンされるスペクトルの使用の状況に関し基地局によって送信される情報に従って、別のＵＥにリッスンされるスペクトルで信号を送信するとき、ＵＥは、基地局によって送信される信号のエネルギー情報Ｓを回復し、さらに、干渉信号のエネルギーＩ及び雑音Ｎを正確に取得することができ、これにより、ＵＥによるリッスンされるスペクトルの干渉リスニングの実行の精度が向上する。
【００７９】
第１のリスニング結果が該リッスンされるスペクトルの干渉信号のエネルギー情報であるとき、対応して、基地局が第１のリスニング結果に従ってリッスンされるスペクトルからアイドルスペクトルを選択するステップ１０４は、具体的に、
リッスンされるスペクトルの干渉信号のエネルギー情報に従って、リッスンされるスペクトルから事前設定条件を満たすリッスンされるスペクトルを基地局によって選択するステップ、
を含む。
【００８０】
本実施例では、事前設定条件は要件に従って設定することができ、事前設定条件を満たすリッスンされるスペクトルが、アイドルスペクトルとして決定される。干渉信号のエネルギー情報の値が小さいほど、対応するスペクトルがよりアイドル状態であることを示し、リッスンされるスペクトルの信号対干渉雑音比ＳＩＮＲ（Signal  interference  noise  ratio）の値が大きく、リッスンされるスペクトルのチャネル品質インジケータＣＱＩの値が大きいほど、そのスペクトル及びよりアイドル状態であるスペクトルに対応するチャネル品質がより良好であることを示す。したがって、本実施例では、事前設定条件は、具体的に、以下の３つの項目、すなわち、
リッスンされるスペクトルの干渉信号のエネルギー情報の値が、第１の事前設定値未満であることと、
リッスンされるスペクトルの信号対干渉雑音比ＳＩＮＲの値が第２の事前設定値より大きいことであって、ＳＩＮＲの値は、リッスンされるスペクトルの干渉信号のエネルギー情報の値に対する、ＵＥによって現在使用されるチャネルの参照信号受信電力ＲＳＲＰの比率（すなわちＲＳＲＰ／（Ｎ＋Ｉ））であるか、又は、ＳＩＮＲの値は、リッスンされるスペクトルの干渉信号のエネルギー情報の値に対する、ＵＥによって現在使用されるチャネルの受信信号エネルギーの比率であることと、
リッスンされるスペクトルのチャネル品質インジケータＣＱＩが、第３の事前設定値より大きいことであって、ＣＱＩの値は、リッスンされるスペクトルの干渉信号のエネルギー情報の値に対する、ＵＥによって現在使用されるチャネルのＲＳＲＰの比率に対応するか、又は、ＣＱＩの値は、リッスンされるスペクトルの干渉信号のエネルギー情報の値に対する、ＵＥによって現在使用されるチャネルの受信信号エネルギーの比率に対応することと、
のうちの少なくとも１つを含み得る。
【００８１】
本実施例では、ＣＱＩと、リッスンされるスペクトルの干渉信号のエネルギー情報の値に対するＵＥによって現在使用されるチャネルの参照信号受信電力ＲＳＲＰの比率との間には対応が存在する。その対応は、本明細書では、以下のように表され得る。すなわち、リッスンされるスペクトルの干渉信号のエネルギー情報の値に対するＵＥによって現在使用されるチャネルの参照信号受信電力ＲＳＲＰの比率が大きいほど、すなわちＲＳＲＰ／（Ｉ＋Ｎ）の値がより大きいほど、ＣＱＩがより大きいことを示す。ＣＱＩと、リッスンされるスペクトルの干渉信号のエネルギー情報の値に対するＵＥによって現在使用されるチャネルの受信信号エネルギーの値の比率との間にも対応が存在する。リッスンされるスペクトルの干渉信号のエネルギー情報の値に対するＵＥによって現在使用されるチャネルの受信信号エネルギーの比率が大きいほど、ＣＱＩがより大きいことを示す。したがって、対応するＣＱＩの値は、リッスンされるスペクトルの干渉信号のエネルギー情報の値に対するＵＥによって現在使用されるチャネルの参照信号受信電力ＲＳＲＰの比率に従って、又は、リッスンされるスペクトルの干渉信号のエネルギー情報の値に対するＵＥによって現在使用されるチャネルの受信信号エネルギーの比率に従って、決定することができる。
【００８２】
ＵＥによって現在使用されるチャネルのＲＳＲＰ及びＵＥによって現在使用されるチャネルの受信信号エネルギーは、具体的に、ＵＥによって基地局に報告することができる。加えて、基地局はまた、ＵＥによって報告される現在使用されるチャネルのＲＳＲＱ及びＲＳＳＩに従って、計算を用いて、ＵＥによって現在使用されるチャネルのＲＳＲＰ又はＵＥによって現在使用されるチャネルの受信信号エネルギーを取得することができる。具体的には、ＵＥによって現在使用されるチャネルは、ＵＥによって現在使用されるスペクトル又はアクティブにされたスペクトルに対応するチャネルでもよい。たとえば、ＵＥによって現在使用されるチャネルは、ＵＥのプライマリセル（Ｐｒｉｍａｒｙ  ｃｅｌｌ，Ｐｃｅｌｌ）のスペクトルに対応するチャネルでもよく、又は、ＵＥのセカンダリセル（Ｓｅｃｏｎｄａｒｙ  ｃｅｌｌ，Ｓｃｅｌｌ）のアクティブなスペクトルに対応するチャネルでもよい。
【００８３】
任意に、前述の実施例では、第１のリスニング結果がＵＥによって選択されたアイドルスペクトルの記述情報である場合、すなわち、アイドルスペクトルがＵＥによって選択されるとき、対応して、ＵＥがリスニング構成情報に従ってリッスンされるスペクトルの干渉リスニングを実行して第１のリスニング結果を取得するステップ１０２は、具体的に、ＵＥがリッスンされるスペクトルの干渉リスニングを実行して、リッスンされるスペクトルの干渉信号のエネルギー情報を取得するステップと、リッスンされるスペクトルの干渉信号のエネルギー情報に従って、リッスンされるスペクトルから前述の事前設定条件を満たすスペクトルをアイドルスペクトルとして選択するステップと、そのアイドルスペクトルの記述情報を決定して第１のリスニング結果を取得するステップと、を含む。対応して、基地局が第１のリスニング結果に従ってリッスンされるスペクトルからアイドルスペクトルを選択するステップ１０４は、具体的に、基地局が、ＵＥによって報告されるアイドルスペクトルの記述情報に従って、リッスンされるスペクトルからアイドルスペクトルを選択するステップ、を含む。
【００８４】
ステップ１０５：基地局が、アイドルスペクトルでＵＥと通信する。
【００８５】
好ましくは、本実施例では、アイドルスペクトルのＳＩＮＲ又はＣＱＩは、基地局が選択されたアイドルスペクトルでデータスケジューリングを実行するのを助けるために使用することができる。具体的には、基地局は、アイドルスペクトルのＳＩＮＲ又はＣＱＩを使用することによって、選択されたアイドルスペクトルでのＵＥとのデータ通信に対応する変調符号化方式ＭＣＳ（Ｍｏｄｕｌａｔｏｒ  Ｃｏｄｅｒ  Ｓｃｈｅｍｅ）を決定し、そのＭＣＳに従って、ＵＥとのデータ通信から生成されたデータに符号化及び変調を実行することができる。
【００８６】
ステップ１０５の後に、基地局は、選択されたアイドルスペクトルをＵＥのセカンダリセルＳｃｅｌｌに対応するスペクトルとして構成することができる。
【００８７】
任意に、基地局が複数のＵＥによって報告される第１のリスニング結果を受信し、複数のＵＥによって選択されたアイドルスペクトルが同じスペクトルリソースであるとき、ＵＥと基地局との間の通信の品質を確保するために、基地局は、好ましくは、その選択されたアイドルスペクトルを最も適切なＵＥのために構成し、そのアイドルスペクトルで最も適切なＵＥのみをスケジュールする。最も適切なＵＥは、干渉リスニングを実行することによって取得した干渉信号のエネルギー情報の値が最小であるＵＥ、又は干渉リスニングが実行されるスペクトルで対応するＳＩＮＲの値が最大であるＵＥ、又は干渉リスニングが実行されるスペクトルで対応するＣＱＩの値が最大であるＵＥを指す。
【００８８】
基地局及び基地局の隠れノードの共用カバレッジエリア内にあるＵＥは、リスニングによって、その隠れノードによって送信された干渉信号を取得することができるので、本実施例の本方法では、ＵＥがリッスンされるスペクトルのリスニングを実行することにより、基地局の干渉リスニング範囲を拡張し、基地局の隠れノードを発見することができる。したがって、基地局は、適切な免許不要スペクトルを選択してＵＥと通信することができ、それによって、選択された免許不要スペクトルにおいて基地局とＵＥとの間の通信に生じ得る干渉の強度を低減することができる。
【００８９】
本実施例の本方法では、基地局とＵＥとの間の通信への基地局の隠れノードのインパクトを減らすことができる。そして、本実施例の本方法によれば、当業者は、本実施例における基地局を別のアクセスポイントデバイスで置き換えることによって、アクセスポイントデバイスとＵＥとの間の通信へのアクセスポイントデバイスの隠れノードのインパクトは減らすことができることを、容易に理解し得る。
【００９０】
実施例２
図２は、本発明の実施例２によるワイヤレス通信方法の流れ図である。本実施例の本方法は基地局によって実行することができる。図２を参照すると、本実施例の本方法は以下のステップを含む。
【００９１】
ステップ２０１：ユーザ装置ＵＥによって送信された第１のリスニング結果を受信する。第１のリスニング結果は、リッスンされるスペクトルの干渉リスニングを実行することによってＵＥによって取得され、リッスンされるスペクトルは、免許不要スペクトルである。
【００９２】
本実施例では、ＵＥが第１のリスニング結果を報告するときに占有されるリソースを示す報告構成情報は、ＵＥにおいて事前設定することができ、報告構成情報は、時間領域情報、周波数領域情報及び符号領域情報のうちの少なくとも１つを含む。ステップ２０１では、ユーザ装置ＵＥによって送信された第１のリスニング結果を受信するステップは、具体的に、ＵＥによって送信された第１のリスニング結果を報告構成情報に対応するリソースで受信するステップである。
【００９３】
任意に、同様に、リッスンされるスペクトルの記述情報をＵＥにおいて事前設定することができ、リッスンされるスペクトルの記述情報は、リッスンされるスペクトルの時間領域情報及び／又は周波数領域情報を含む。時間領域情報は、サブフレーム情報など、リッスンする免許不要スペクトルの１つ又は複数のキャリアのリスニングを実行するための時間情報によって表され得る。第１のリスニング結果は、ＵＥが、リッスンされるスペクトルの事前設定された記述情報に従って干渉リスニングを実行することによって取得される。
【００９４】
リッスンされるスペクトルでＵＥによって実行される干渉リスニングを制御するために、リスニング時間情報をＵＥにおいて事前設定して、ＵＥがリッスンされるスペクトルの干渉リスニングの実行を開始及び／又は停止する時間を示すことができ、又は、リッスンされるスペクトルの干渉リスニングをリスニング時間情報の周期で実行するようにＵＥに指示することができる。或いは、
ＵＥのリスニングが、ＵＥにおいてリスニングトリガ条件に関する情報を事前設定することによって制御される。リスニングトリガ条件は、現在使用されるチャネルの品質がトリガ条件を満たすときに、リッスンされるスペクトルの干渉リスニングを実行するようにＵＥに指示するために使用される。或いは、
ＵＥがトリガ命令を受信した後にリッスンされるスペクトルの干渉リスニングの実行を開始するように、基地局が、ＵＥにトリガ命令を送信する。ＵＥのリスニングは基地局によって制御される。
【００９５】
任意に、ＵＥのリスニングの柔軟性を向上させるために、ＵＥは、基地局によって生成されたリスニング構成に従って、リスニングを実行することができる。対応して、ステップ２０１の前に、本方法はさらに、
リスニング構成情報を生成するステップであって、リスニング構成情報は、干渉リスニングを実行するようにユーザ装置ＵＥを構成するために使用され、干渉リスニングは、リッスンされるスペクトルでのエネルギー検出を示し、リッスンされるスペクトルは免許不要スペクトルに属する、ステップと、
ＵＥがリスニング構成情報に従ってリッスンされるスペクトルの干渉リスニングを実行することができるように、リスニング構成情報をＵＥに送信するステップと、
を含む。
【００９６】
具体的には、基地局は、無線リソース制御ＲＲＣ専用シグナリング、ＲＲＣブロードキャストシグナリング、メディアアクセス制御ＭＡＣシグナリング又は物理層シグナリングを使用することによって、ＵＥにリスニング構成情報を送信する。
【００９７】
任意に、ＵＥが第１のリスニング結果を報告するときに占有されるリソースを示す前述の報告構成情報、リッスンされるスペクトルの記述情報、リスニング時間情報及びリスニングトリガ条件に関する情報のうちの１つ又は複数の項目も、リスニング構成情報で搬送することができ、基地局によってＵＥに送信することができる。
【００９８】
任意に、本実施例では、ＵＥの負荷を軽減し且つＵＥがリッスンする必要があるスペクトルを狭めるために、基地局は、先ず、使用可能なスペクトルのリスニングを予め実行し、リスニング結果に従って、基地局によってアイドル状態であると見なされたスペクトルを除去し、そのスペクトルをＵＥのリッスンされるスペクトルとして使用することができる。使用可能なスペクトルは、リッスンされるスペクトルを含む免許不要スペクトルであり、具体的には、すべての免許不要スペクトルリソースを指し得る。対応して、リスニング構成情報をＵＥに送信するステップの前に、基地局はさらに以下の動作ステップ、すなわち、
使用可能なスペクトルの干渉リスニングを実行して、第２のリスニング結果を取得するステップ、
を実行する。
【００９９】
対応して、ＵＥが第２のリスニング結果に従ってリッスンされるスペクトルの記述情報を決定することができるように、基地局によってＵＥに送信されるリスニング構成情報は、第２のリスニング結果を含むことができる。或いは、ＵＥが、リスニング構成情報に含まれるリッスンされるスペクトルの記述情報に従って、干渉リスニングを実行することができるように、基地局は、第２のリスニング結果に従って、使用可能なスペクトルからアイドルスペクトルを選択し、そのアイドルスペクトルの記述情報を決定してリッスンされるスペクトルの記述情報を取得し、リッスンされるスペクトルの記述情報を搬送するリスニング構成情報をＵＥに送信する。
【０１００】
基地局がリッスンされるスペクトルを使用して別のＵＥと通信するとき、基地局によって送信される信号は、ＵＥの干渉リスニングの精度に影響を及ぼす。現在の基地局によって送信される信号のＵＥのリスニング結果へのインパクトを排除するために、本実施例では、基地局は、現在の基地局によるリッスンされるスペクトルの使用の状況に関する情報をさらに送信することができる。ＵＥは、リッスンされるスペクトルの干渉信号のエネルギー情報を正確に取得ために、現在の基地局によるリッスンされるスペクトルの使用の状況に関する情報に従って、現在の基地局によって送信される信号のエネルギー情報Ｓを回復し、リッスンされるスペクトルでのすべての信号のリスニングによって取得されたエネルギー情報の値から、現在の基地局によって送信される信号のエネルギー情報Ｓの値を減算することができる。干渉信号は、基地局を除く別のデバイスによってリッスンされるスペクトルで送信される信号であり、干渉信号のエネルギー情報は、干渉信号のエネルギーＩ及び雑音Ｎを含む。
【０１０１】
ステップ２０２：第１のリスニング結果に従って、リッスンされるスペクトルからアイドルスペクトルを選択する。
【０１０２】
任意に、本実施例では、第１のリスニング結果は、リッスンされるスペクトルの干渉信号のエネルギー情報であってもよい。対応して、第１のリスニング結果に従ってリッスンされるスペクトルからアイドルスペクトルを選択するステップ２０２は、具体的には、リッスンされるスペクトルの干渉信号のエネルギー情報に従って、リッスンされるスペクトルから事前設定条件を満たすリッスンされるスペクトルを選択するステップ、を含む。
【０１０３】
任意に、第１のリスニング結果はまた、ＵＥによって選択されたアイドルスペクトルの記述情報であってもよい。ＵＥは、干渉リスニングを用いて取得されるリッスンされるスペクトルでの干渉信号のエネルギー情報に従って、リッスンされるスペクトルから事前設定条件を満たすリッスンされるスペクトルをアイドルスペクトルとして選択し、選択されたアイドルスペクトルの記述情報を第１のリスニング結果として使用し、第１のリスニング結果を基地局に送信する。対応して、ステップ２０２では、第１のリスニング結果に従ってリッスンされるスペクトルからアイドルスペクトルを選択するステップは、具体的に、ＵＥによって報告されるアイドルスペクトルの記述情報に従って、リッスンされるスペクトルからアイドルスペクトルを選択するステップ、を含む。
【０１０４】
前述の事前設定条件は要件に従って設定することができ、事前設定条件を満たすリッスンされるスペクトルが、アイドルスペクトルとして決定される。干渉信号のエネルギー情報の値が小さいほど、対応するスペクトルがよりアイドル状態にあることを示し、リッスンされるスペクトルの信号対干渉雑音比ＳＩＮＲ（信号干渉雑音比）の値が大きく、リッスンされるスペクトルのチャネル品質インジケータＣＱＩの値が大きいほど、そのスペクトル及びよりアイドル状態にあるスペクトルに対応するチャネル品質がより良好であることを示す。本実施例では、事前設定条件は、具体的に、以下の３つの項目、すなわち、
リッスンされるスペクトルの干渉信号のエネルギー情報の値が、第１の事前設定値未満であることと、
リッスンされるスペクトルの信号対干渉雑音比ＳＩＮＲの値が第２の事前設定値より大きいことであって、ＳＩＮＲの値は、リッスンされるスペクトルの干渉信号のエネルギー情報の値に対する、ＵＥによって現在使用されるチャネルの参照信号受信電力ＲＳＲＰの比率（すなわちＲＳＲＰ／（Ｎ＋Ｉ））であるか、又は、ＳＩＮＲの値は、リッスンされるスペクトルの干渉信号のエネルギー情報の値に対する、ＵＥによって現在使用されるチャネルの受信信号エネルギーの比率であることと、
リッスンされるスペクトルのチャネル品質インジケータＣＱＩが、第３の事前設定値より大きいことであって、ＣＱＩの値は、リッスンされるスペクトルの干渉信号のエネルギー情報の値に対する、ＵＥによって現在使用されるチャネルのＲＳＲＰの比率に対応するか、又は、ＣＱＩの値は、リッスンされるスペクトルの干渉信号のエネルギー情報の値に対する、ＵＥによって現在使用されるチャネルの受信信号エネルギーの比率に対応することと、
のうちの少なくとも１つを含み得る。
【０１０５】
ステップ２０３：そのアイドルスペクトルでＵＥと通信する。
【０１０６】
好ましくは、本実施例では、アイドルスペクトルのＳＩＮＲ又はＣＱＩは、基地局が選択されたアイドルスペクトルでデータスケジューリングを実行するのを助けるために使用することができる。具体的に、基地局は、アイドルスペクトルのＳＩＮＲ又はＣＱＩを使用することによって、選択されたアイドルスペクトルでのＵＥとのデータ通信に対応する変調符号化方式ＭＣＳ（Ｍｏｄｕｌａｔｏｒ  Ｃｏｄｅｒ  Ｓｃｈｅｍｅ）を決定し、そのＭＣＳに従って、ＵＥとのデータ通信から生成されたデータに符号化及び変調を実行することができる。
【０１０７】
基地局及び基地局の隠れノードの共用カバレッジエリア内にあるＵＥは、リスニングによって、その隠れノードによって送信された干渉信号を取得することができるので、本実施例の本方法では、ＵＥがリッスンされるスペクトルのリスニングを実行することにより、基地局の干渉リスニング範囲を拡張し、基地局の隠れノードを発見することができる。したがって、基地局は、適切な免許不要スペクトルを選択してＵＥと通信することができ、それによって、選択された免許不要スペクトルにおいて基地局とＵＥとの間の通信に生じ得る干渉の強度を低減することができる。
【０１０８】
本実施例の本方法では、基地局とＵＥとの間の通信への基地局の隠れノードのインパクトを減らすことができる。そして、本実施例の本方法によれば、当業者は、本実施例における基地局を別のアクセスポイントデバイスで置き換えることによって、アクセスポイントデバイスとＵＥとの間の通信へのアクセスポイントデバイスの隠れノードのインパクトは減らすことができることを、容易に理解し得る。
【０１０９】
実施例３
図３は、本発明の実施例３によるワイヤレス通信方法の流れ図である。図３を参照すると、本実施例の本方法は、具体的に、以下のステップを含む。
【０１１０】
ステップ３０１：ＵＥが、免許不要スペクトルに属するリッスンされるスペクトルの干渉リスニングを実行して第１のリスニング結果を取得する。リッスンされるスペクトルは免許不要スペクトルに属する。
【０１１１】
任意に、本実施例では、リッスンされるスペクトルの記述情報はＵＥにおいて事前設定することができ、リッスンされるスペクトルの記述情報は、リッスンされるスペクトルの時間領域情報及び／又は周波数領域情報を含む。時間領域情報は、サブフレーム情報など、リッスンする免許不要スペクトルの１つ又は複数のキャリアのリスニングの実行のための時間情報によって表され得る。第１のリスニング結果は、ＵＥが、リッスンされるスペクトルの事前設定された記述情報に従って干渉リスニングを実行することによって取得される。
【０１１２】
任意に、リッスンされるスペクトルでＵＥによって実行される干渉リスニングを制御するために、本実施例では、リスニング時間情報をＵＥにおいて事前設定して、ＵＥがリッスンされるスペクトルの干渉リスニングの実行を開始及び／又は停止する時間を示すことができ、又は、リッスンされるスペクトルの干渉リスニングをリスニング時間情報の周期で実行するようにＵＥに指示することができる。或いは、
ＵＥのリスニングは、ＵＥにおいてリスニングトリガ条件に関する情報を事前設定することによって制御される。リスニングトリガ条件は、現在使用されるチャネルの品質がトリガ条件を満たすときに、リッスンされるスペクトルの干渉リスニングを実行するようにＵＥに指示するために使用される。或いは、
このステップの前に、ＵＥのリスニングが基地局によって制御されるように、ＵＥは、基地局によって送信されたトリガ命令を受信し、リッスンされるスペクトルの干渉リスニングの実行を開始する。
【０１１３】
任意に、ＵＥのリスニングの柔軟性を向上させるために、ＵＥは、基地局によって生成されたリスニング構成に従って、リスニングを実行することができる。対応して、ステップ３０１の前に、本方法はさらに、
ＵＥが、基地局によって送信されたリスニング構成情報を受信するステップ、
を含む。
【０１１４】
リッスンされるスペクトルの前述の記述情報、リスニング時間情報及びリスニングトリガ条件に関する情報のうちの１つ又は複数の項目は、リスニング構成情報において搬送することができる。ＵＥは、そのリスニング構成情報に従って、リッスンされるスペクトルの干渉リスニングを実行する。
【０１１５】
任意に、ＵＥの負荷を軽減し且つＵＥがリッスンする必要があるスペクトルを狭めるために、基地局は、先ず、使用可能なスペクトルのリスニングを予め実行し、リスニング結果に従って、基地局によってアイドル状態であると見なされたスペクトルを除去し、そのスペクトルをＵＥのリッスンされるスペクトルとして使用することができる。使用可能なスペクトルは、リッスンされるスペクトルを含む免許不要スペクトルであり、具体的には、すべての免許不要スペクトルリソースを指し得る。本実施例では、基地局は、使用可能なスペクトルの干渉リスニングを実行することによって第２のリスニング結果を取得し、第２のリスニング結果に従ってアイドルスペクトルを決定し、アイドルスペクトルをリッスンされるスペクトルとして使用し、リッスンされるスペクトルの記述情報をリスニング構成情報に含め、リスニング構成情報をＵＥに送信する。或いは、基地局は、第２のリスニング結果をリスニング構成情報に含め、ＵＥが、第２のリスニング結果に従ってアイドルスペクトルを決定し、アイドルスペクトルをリッスンされるスペクトルとして使用し、リッスンされるスペクトルの記述情報を決定する。
【０１１６】
基地局がリッスンされるスペクトルを使用して別のＵＥと通信するとき、基地局によって送信される信号は、ＵＥの干渉リスニングの精度に影響を及ぼす。現在の基地局によって送信される信号のＵＥのリスニング結果へのインパクトを排除するために、任意に、本実施例では、ステップ３０１の前に、本方法はさらに、ＵＥが、現在の基地局によるリッスンされるスペクトルの使用の状況に関し基地局によって送信される情報を受信するステップ、を含む。ＵＥは、リッスンされるスペクトルの干渉信号のエネルギー情報を正確に取得するために、現在の基地局によるリッスンされるスペクトルの使用の状況に関する情報に従って、現在の基地局によって送信される信号のエネルギー情報Ｓを回復し、リッスンされるスペクトルでのすべての信号のリスニングによって取得されたエネルギー情報の値から現在の基地局によって送信される信号のエネルギー情報Ｓの値を減算することができる。干渉信号は、基地局を除く別のデバイスによってリッスンされるスペクトルで送信される信号であり、干渉信号のエネルギー情報は、干渉信号のエネルギーＩ及び雑音Ｎを含む。
【０１１７】
ステップ３０２：基地局が第１のリスニング結果に従ってリッスンされるスペクトルからＵＥと通信するためのアイドルスペクトルを選択することができるように、ＵＥが、第１のリスニング結果を基地局に送信する。
【０１１８】
任意に、ＵＥが第１のリスニング結果を報告するときに占有されるリソースを示す報告構成情報は、ＵＥにおいて事前設定することができ、ＵＥは、その報告構成情報に対応するリソースで第１のリスニング結果を基地局に送信する。別法として、報告構成情報はリスニング構成情報で搬送され、ＵＥは、そのリスニング構成情報内の報告構成情報に従って第１のリスニング結果を基地局に送信する。その報告構成情報は、時間領域情報、周波数領域情報及び符号領域情報のうちの少なくとも１つを含む。
【０１１９】
任意に、基地局が、リッスンされるスペクトルの干渉信号のエネルギー情報に従って、リッスンされるスペクトルから事前設定条件を満たすアイドルスペクトルを選択してＵＥと通信することができるように、第１のリスニング結果は、リッスンされるスペクトルの干渉信号のエネルギー情報でもよい。
【０１２０】
任意に、基地局が、ＵＥによって選択されたアイドルスペクトルの記述情報に従って、リッスンされるスペクトルにおいてアイドルスペクトルを決定することができるように、第１のリスニング結果はまた、ＵＥによって選択されたアイドルスペクトルの記述情報でもよい。対応して、ステップ３０１は、具体的に、ＵＥが、リッスンされるスペクトルの干渉信号のエネルギー情報に従って、リッスンされるスペクトルから事前設定条件を満たすアイドルスペクトルを選択するステップ、及び、そのアイドルスペクトルの記述情報を決定して第１のリスニング結果を取得するステップである。
【０１２１】
前述の事前設定条件は要件に従って設定することができ、事前設定条件を満たすリッスンされるスペクトルが、アイドルスペクトルとして決定される。干渉信号のエネルギー情報の値が小さいほど、対応するスペクトルがよりアイドル状態であることを示し、リッスンされるスペクトルの信号対干渉雑音比ＳＩＮＲ（信号干渉雑音比）の値が大きく、リッスンされるスペクトルのチャネル品質インジケータＣＱＩの値が大きいほど、そのスペクトル及びよりアイドル状態にあるスペクトルに対応するチャネル品質がより良好であることを示す。したがって、本実施例では、事前設定条件は、具体的に、以下の３つの項目、すなわち、
リッスンされるスペクトルの干渉信号のエネルギー情報の値が、第１の事前設定値未満であることと、
リッスンされるスペクトルの信号対干渉雑音比ＳＩＮＲの値が第２の事前設定値より大きいことであって、ＳＩＮＲの値は、リッスンされるスペクトルの干渉信号のエネルギー情報の値に対する、ＵＥによって現在使用されるチャネルの参照信号受信電力ＲＳＲＰの比率（すなわちＲＳＲＰ／（Ｎ＋Ｉ））であるか、又は、ＳＩＮＲの値は、リッスンされるスペクトルの干渉信号のエネルギー情報の値に対する、ＵＥによって現在使用されるチャネルの受信信号エネルギーの比率であることと、
リッスンされるスペクトルのチャネル品質インジケータＣＱＩが、第３の事前設定値より大きいことであって、ＣＱＩの値は、リッスンされるスペクトルの干渉信号のエネルギー情報の値に対する、ＵＥによって現在使用されるチャネルのＲＳＲＰの比率に対応するか、又は、ＣＱＩの値は、リッスンされるスペクトルの干渉信号のエネルギー情報の値に対する、ＵＥによって現在使用されるチャネルの受信信号エネルギーの比率に対応することと、
のうちの少なくとも１つを含み得る。
【０１２２】
本実施例の本方法では、ＵＥがリッスンされるスペクトルのリスニングを実行するので、基地局の干渉リスニング範囲を拡張し、基地局の隠れノードを発見することができる。したがって、基地局は、適切な免許不要スペクトルを選択してＵＥと通信することができ、それによって、選択された免許不要スペクトルにおいて基地局とＵＥとの間の通信に生じ得る干渉の強度を低減することができる。
【０１２３】
実施例４
図４は、本発明の実施例４によるワイヤレス通信装置の概略的構造図である。図４を参照すると、本実施例の本装置は、具体的に、
ユーザ装置ＵＥによって送信された第１のリスニング結果を受信するように構成された受信モジュール４１であって、第１のリスニング結果は、リッスンされるスペクトルの干渉リスニングを実行することによってＵＥによって取得され、リッスンされるスペクトルは免許不要スペクトルである、受信モジュール４１と、
第１のリスニング結果に従ってリッスンされるスペクトルからアイドルスペクトルを選択するように構成された選択モジュール４２と、
そのアイドルスペクトルでＵＥと通信するように構成された通信モジュール４３と、
を備える。
【０１２４】
任意に、前述の実施例では、本装置はさらに第１の送信モジュール４４を備える。第１の送信モジュール４４は、ＵＥがリスニング構成情報に従ってリッスンされるスペクトルの干渉リスニングを実行することができるように、ＵＥによって送信された第１のリスニング結果が受信される前に、リスニング構成情報をＵＥに送信するように構成される。
【０１２５】
第１の送信モジュール４４は、具体的に、無線リソース制御ＲＲＣ専用シグナリング、ＲＲＣブロードキャストシグナリング、メディアアクセス制御ＭＡＣシグナリング又は物理層シグナリングを使用することによって、リスニング構成情報をＵＥに送信するように構成される。
【０１２６】
任意に、ＵＥがリッスンする必要があるリッスンされるスペクトルを正確に狭めるために、リスニング構成情報はリッスンされるスペクトルの記述情報を含むことができる。これに対応して、リスニング構成情報をＵＥに送信するステップの前に、第１の送信モジュール４４はさらに、
使用可能なスペクトルの干渉リスニングを実行して第２のリスニング結果を取得するように構成され、使用可能なスペクトルは、リッスンされるスペクトルを含む免許不要スペクトルであり、
第２のリスニング結果に従って、リッスンされるスペクトルの記述情報を決定するように構成される。
【０１２７】
別法として、第１の送信モジュール４４は、直接に、第２のリスニング結果をリスニング構成情報に含める。これに対応して、リスニング構成情報をＵＥに送信するステップの前に、第１の送信モジュール４４はさらに、
使用可能なスペクトルの干渉リスニングを実行して第２のリスニング結果を取得するように構成され、使用可能なスペクトルは、リッスンされるスペクトルを含む免許不要スペクトルであり、
これに対応して、ＵＥが第２のリスニング結果に従ってリッスンされるスペクトルの記述情報を決定することができるように、第１の送信モジュール４４は、具体的に、第２のリスニング結果を含むリスニング構成情報をＵＥに送信するように構成される。
【０１２８】
任意に、リスニング構成情報はさらに、ＵＥが第１のリスニング結果を報告するときに占有されるリソースを示すために使用される報告構成情報を含むことができる。報告構成情報は、時間領域情報、周波数領域情報及び符号領域情報のうちの少なくとも１つを含む。これに対応して、受信モジュール４１は、具体的に、
ＵＥによって送信された第１のリスニング結果を、その報告構成情報に対応するリソースで受信するように構成される。
【０１２９】
任意に、ＵＥの干渉リスニングを制御するために、リスニング構成情報はさらにリスニング時間情報を含むことができる。リスニング時間情報は、ＵＥがリッスンされるスペクトルの干渉リスニングの実行を開始及び／又は停止する時間を示すために使用される。又は、リスニング時間情報は、リッスンされるスペクトルの干渉リスニングをリスニング時間情報の周期で実行するようにＵＥに指示するために使用される。或いは、
ＵＥによって送信される第１のリスニング結果を受信する前に、受信モジュール４１はさらに、
ＵＥがトリガ命令を受信した後にリッスンされるスペクトルの干渉リスニングの実行を開始することができるように、ＵＥにトリガ命令を送信するように構成される。
【０１３０】
別法として、ＵＥの干渉リスニングを制御するために、リスニングトリガ条件に関する情報がリスニング構成情報で搬送される。リスニングトリガ条件に関する情報は、現在使用されるチャネルの品質がトリガ条件を満たすときにリッスンされるスペクトルの干渉リスニングを実行するようにＵＥに指示するために使用される。
【０１３１】
任意に、本実施例では、第１のリスニング結果は、リッスンされるスペクトルの干渉信号のエネルギー情報でもよい。ＵＥによる干渉信号のリスニングの精度を向上させるために、本装置はさらに、第２の送信モジュール４５を備える。第２の送信モジュール４５は、ＵＥによって送信される第１のリスニング結果が受信される前に、現在の基地局によるリッスンされるスペクトルの使用の状況に関する情報をＵＥに送信するように構成される。使用の状況に関する情報は、現在の基地局によってそのリッスンされるスペクトルで送信される信号に対応するデータスケジューリング情報を含む。これにより、ユーザ装置ＵＥが、現在の基地局によるリッスンされるスペクトルの使用の状況に関する情報に従って、現在の基地局によって送信される信号のエネルギー情報を決定し、リッスンされるスペクトルのリスニングによって取得されるエネルギー情報及び現在の基地局によって送信される信号のエネルギー情報に従って、リッスンされるスペクトルの干渉信号のエネルギー情報をさらに決定して第１のリスニング結果を取得することができる。
【０１３２】
対応して、選択モジュール４２は、具体的に、リッスンされるスペクトルの干渉信号のエネルギー情報に従って、リッスンされるスペクトルから事前設定条件を満たすリッスンされるスペクトルを選択するように構成される。
事前設定条件は、以下の３つの項目、すなわち、
リッスンされるスペクトルの干渉信号のエネルギー情報の値が、第１の事前設定値未満であることと、
リッスンされるスペクトルの信号対干渉雑音比ＳＩＮＲの値が第２の事前設定値より大きいことであって、ＳＩＮＲの値は、リッスンされるスペクトルの干渉信号のエネルギー情報の値に対する、ＵＥによって現在使用されるチャネルの参照信号受信電力ＲＳＲＰの比率（すなわちＲＳＲＰ／（Ｎ＋Ｉ））であるか、又は、ＳＩＮＲの値は、リッスンされるスペクトルの干渉信号のエネルギー情報の値に対する、ＵＥによって現在使用されるチャネルの受信信号エネルギーの比率であることと、
リッスンされるスペクトルのチャネル品質インジケータＣＱＩが、第３の事前設定値より大きいことであって、ＣＱＩの値は、リッスンされるスペクトルの干渉信号のエネルギー情報の値に対する、ＵＥによって現在使用されるチャネルのＲＳＲＰの比率に対応するか、又は、ＣＱＩの値は、リッスンされるスペクトルの干渉信号のエネルギー情報の値に対する、ＵＥによって現在使用されるチャネルの受信信号エネルギーの比率に対応することと、
のうちの少なくとも１つを含む。
【０１３３】
任意に、第１のリスニング結果はまた、ＵＥによって選択されたアイドルスペクトルの記述情報であってもよい。これに対応して、選択モジュール４２は、具体的に、
ＵＥによって選択されたアイドルスペクトルの記述情報に従って、リッスンされるスペクトルからアイドルスペクトルを決定するように構成される。ＵＥによって選択されたアイドルスペクトルの記述情報は、ＵＥが、リッスンされるスペクトルでの干渉信号のエネルギー情報であって、リッスンされるスペクトルの干渉リスニングを実行することによりＵＥによって取得されるエネルギー情報に従って、リッスンされるスペクトルから選択し、且つ、前述の事前設定条件を満たす、リッスンされるスペクトルの記述情報である。
【０１３４】
本実施例の本装置は、基地局内に配置することができ、実施例２の方法を実行するように構成することができる。本装置の実装原理及び技術的効果は同様であり、ここでの説明は省略する。
【０１３５】
実施例５
図５は、本発明の実施例５によるワイヤレス通信装置の概略的構造図である。本実施例では、本装置は、具体的に、
リッスンされるスペクトルの干渉リスニングを実行して第１のリスニング結果を取得するように構成されたリスニングモジュール５１であって、リッスンされるスペクトルは免許不要スペクトルに属する、リスニングモジュール５１と、
基地局が第１のリスニング結果に従ってリッスンされるスペクトルからユーザ装置ＵＥと通信するためのアイドルスペクトルを選択することができるように、第１のリスニング結果を基地局に送信するように構成された送信モジュール５２と、
を備える。
【０１３６】
任意に、本装置はさらに、
リッスンされるスペクトルで干渉リスニングが実行される前に、基地局によって送信されたリスニング構成情報を受信するように構成された受信モジュール５３、
を備える。これに対応して、リスニングモジュール５１は、具体的に、リスニング構成情報に従って、リッスンされるスペクトルの干渉リスニングを実行するように構成される。
【０１３７】
任意に、本実施例では、リッスンされるスペクトルの記述情報はリスニングモジュールにおいて事前設定することができる。リスニングモジュール５１は、具体的に、リッスンされるスペクトルの事前設定された記述情報に従って、リッスンされるスペクトルの干渉リスニングを実行するように構成される。或いは、
リスニング構成情報は、リッスンされるスペクトルの記述情報を含む。これに対応して、リスニングモジュール５１は、具体的に、リスニング構成情報に含まれるリッスンされるスペクトルの記述情報に従って、リッスンされるスペクトルの干渉リスニングを実行するように構成される。
【０１３８】
別法として、リスニング構成情報は第２のリスニング結果を含み、第２のリスニング結果は、使用可能なスペクトルのリスニングを実行することによって基地局によって取得され、使用可能なスペクトルは、リッスンされるスペクトルを含む免許不要スペクトルである。リスニングモジュールは、具体的に、リスニング構成情報内の第２のリスニング結果に従って、リッスンされるスペクトルの記述情報を決定し、リッスンされるスペクトルの記述情報に従って、リッスンされるスペクトルの干渉リスニングを実行するように構成される。
【０１３９】
任意に、本実施例では、リスニング構成情報はさらに、送信モジュール５２が第１のリスニング結果を送信するときに占有されるリソースを示すために使用される構成情報を含むことができる。構成情報は、時間領域情報、周波数領域情報及び符号領域情報のうちの少なくとも１つを含む。これに対応して、送信モジュール５２は、具体的に、構成情報に対応するリソースで第１のリスニング結果を基地局に送信するように構成される。
【０１４０】
任意に、リスニングモジュールの干渉リスニングを制御するために、リスニング構成情報はさらにリスニング時間情報を含むことができる。リスニング時間情報は、リスニングモジュール５１がリッスンされるスペクトルのリスニングの実行を開始及び／又は停止する時間を示すために使用される。リスニングモジュール５１は、具体的に、リスニング時間情報に従って、リッスンされるスペクトルの干渉リスニングの実行を開始及び／又は停止するように構成される。或いは、
リスニング時間情報は、リスニング時間情報を周期として使用するようにリスニングモジュール５１に指示するために使用される。リスニングモジュール５１は、具体的に、リスニング時間情報の周期で、リッスンされるスペクトルの干渉リスニングを実行するように構成される。
【０１４１】
任意に、本実施例では、リスニングモジュール５１の干渉リスニングを制御するために、基地局はトリガ命令を送信することもできる。対応して、リッスンされるスペクトルの干渉リスニングを実行する前に、リスニングモジュール５１はさらに、基地局によって送信されたトリガ命令を受信し、トリガ命令を受信した後に、リッスンされるスペクトルの干渉リスニングの実行を開始するように構成される。
【０１４２】
別法として、リスニング構成情報は、リスニングモジュールの制御を実現するために、リスニングトリガ条件を搬送することができる。これに対応して、リスニングモジュール５１は、具体的に、現在使用されるチャネルの品質がトリガ条件を満たすと決定されたときに、リッスンされるスペクトルの干渉リスニングを実行するように構成される。
【０１４３】
任意に、本実施例では、第１のリスニング結果は、リッスンされるスペクトルの干渉信号のエネルギー情報であってよい。リッスンされるスペクトルのリスニングの実行の前に、リスニングモジュール５１はさらに、
基地局によって送信される、現在の基地局によるリッスンされるスペクトルの使用の状況に関する情報を受信するように構成され、使用の状況に関する情報は、リッスンされるスペクトルで現在の基地局によって送信される信号に対応するデータスケジューリング情報を含む。これに対応して、リスニングモジュール５１は、具体的に、
リッスンされるスペクトルの信号のリスニングを実行してリッスンされるスペクトルの信号のエネルギー情報を取得し、現在の基地局によるリッスンされるスペクトルの使用の状況に関する情報に従って、基地局によって送信される信号のエネルギー情報を決定するように構成され、
リッスンされるスペクトルの信号のエネルギー情報及び基地局によって送信される信号のエネルギー情報に従って、リッスンされるスペクトルの干渉信号のエネルギー情報を決定して第１のリスニング結果を取得するように構成される。
【０１４４】
任意に、本実施例では、第１のリスニング結果はまた、リスニングモジュール５１によって選択されたアイドルスペクトルの記述情報であってもよい。これに対応して、リスニングモジュール５１は、具体的に、
リッスンされるスペクトルの干渉リスニングを実行して、そのリッスンされるスペクトルの干渉信号のエネルギー情報を取得するように構成され、
リッスンされるスペクトルの干渉信号のエネルギー情報に従って、リッスンされるスペクトルから事前設定条件を満たすアイドルスペクトルを選択し、そのアイドルスペクトルの記述情報を決定して第１のリスニング結果を取得するように構成される。事前設定条件は、以下の３つの項目、すなわち、
リッスンされるスペクトルの干渉信号のエネルギー情報の値が、第１の事前設定値未満であることと、
リッスンされるスペクトルの信号対干渉雑音比ＳＩＮＲの値が第２の事前設定値より大きいことであって、ＳＩＮＲの値は、リッスンされるスペクトルの干渉信号のエネルギー情報の値に対する、ＵＥによって現在使用されるチャネルの参照信号受信電力ＲＳＲＰの比率（すなわちＲＳＲＰ／（Ｎ＋Ｉ））であるか、又は、ＳＩＮＲの値は、リッスンされるスペクトルの干渉信号のエネルギー情報の値に対する、ＵＥによって現在使用されるチャネルの受信信号エネルギーの比率であることと、
リッスンされるスペクトルのチャネル品質インジケータＣＱＩが、第３の事前設定値より大きいことであって、ＣＱＩの値は、リッスンされるスペクトルの干渉信号のエネルギー情報の値に対する、ＵＥによって現在使用されるチャネルのＲＳＲＰの比率に対応するか、又は、ＣＱＩの値は、リッスンされるスペクトルの干渉信号のエネルギー情報の値に対する、ＵＥによって現在使用されるチャネルの受信信号エネルギーの比率に対応することと、
のうちの少なくとも１つを含む。
【０１４５】
本実施例の装置は、ユーザ装置ＵＥ内に配置してもよく、実施例３の方法を実行するように構成することができる。本装置の実装原理及び技術的効果は同様であり、ここでの説明は省略する。
【０１４６】
実施例６
図６は、本発明の実施例６による基地局の概略的構造図である。本実施例では、基地局は、本発明の実施例２におけるワイヤレス通信方法のステップを実現するように構成することができる。図６に示すように、本実施例では、基地局は以下を備える。
メモリ６１は、プログラムを記憶するように構成される。具体的には、そのプログラムはプログラムコードを含むことができ、そのプログラムコードはコンピュータ動作命令を含む。メモリ７１は、高速ＲＡＭメモリを含むことができ、或いは、さらに不揮発性メモリ（ｎｏｎ−ｖｏｌａｔｉｌｅ  ｍｅｍｏｒｙ）（たとえば、少なくとも１つの磁気ディスクメモリ）を含み得る。
プロセッサ６２は、メモリ７１に記憶されたプログラムを実行して、ユーザ装置ＵＥによって送信される第１のリスニング結果を受信するステップであって、第１のリスニング結果は、リッスンされるスペクトルの干渉リスニングを実行することによってＵＥによって取得され、リッスンされるスペクトルは免許不要スペクトルである、ステップと、第１のリスニング結果に従って、リッスンされるスペクトルからアイドルスペクトルを選択するステップと、そのアイドルスペクトルでＵＥと通信するステップと、を実行する。
【０１４７】
プロセッサ６２は、中央処理装置（Ｃｅｎｔｒａｌ  Ｐｒｏｃｅｓｓｉｎｇ  Ｕｎｉｔ，略してＣＰＵ）若しくは特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，略してＡＳＩＣ）であってよく、又は、本発明の本実施例を実現する１つ又は複数の集積回路として構成されてもよい。
【０１４８】
任意に、基地局はさらに送信器６３を備える。送信器６３は、ＵＥがリスニング構成情報に従ってリッスンされるスペクトルの干渉リスニングを実行することができるように、ＵＥによって送信された第１のリスニング結果が受信される前に、リスニング構成情報をＵＥに送信するように構成される。
【０１４９】
具体的に、送信器６３は、無線リソース制御ＲＲＣ専用シグナリング、ＲＲＣブロードキャストシグナリング、メディアアクセス制御ＭＡＣシグナリング又は物理層シグナリングを使用することによって、ＵＥにリスニング構成情報を送信することができる。
【０１５０】
任意に、ＵＥがリッスンする必要があるスペクトルリソースを正確に狭めるために、本実施例では、リッスンされるスペクトルの記述情報が、リスニング構成情報で搬送され得る。送信器はさらに、リスニング構成情報をＵＥに送信する前に、使用可能なスペクトルの干渉リスニングを実行して第２のリスニング結果を取得するように構成され、使用可能なスペクトルは、リッスンされるスペクトルを含む免許不要スペクトルであり、且つ、第２のリスニング結果に従って、リッスンされるスペクトルの記述情報を決定するように構成される。
【０１５１】
別法として、送信器６３は、リスニング構成情報をＵＥに送信する前に、使用可能なスペクトルの干渉リスニングを実行して第２のリスニング結果を取得するように構成される。使用可能なスペクトルは、リッスンされるスペクトルを含む免許不要スペクトルである。送信器６３は、具体的に、ＵＥが第２のリスニング結果に従ってリッスンされるスペクトルの記述情報を決定することができるように、第２のリスニング結果を含むリスニング構成情報をＵＥに送信するように構成される。
【０１５２】
任意に、リスニング構成情報はさらに、ＵＥが第１のリスニング結果を報告するときに占有されるリソースを示すために使用される報告構成情報を含むことができる。報告構成情報は、時間領域情報、周波数領域情報及び符号領域情報のうちの少なくとも１つを含む。これに対応して、プロセッサ６２は、具体的に、ＵＥによって送信された第１のリスニング結果を報告構成情報に対応するリソースで受信するように構成される。
【０１５３】
任意に、本実施例では、ＵＥの干渉リスニングを制御するために、リスニング構成情報はさらにリスニング時間情報を含むことができる。リスニング時間情報は、ＵＥがリッスンされるスペクトルの干渉リスニングの実行を開始及び／又は停止する時間を示すために使用される。又は、リスニング時間情報は、リッスンされるスペクトルの干渉リスニングをリスニング時間情報の周期で実行するようにＵＥに指示するために使用される。或いは、
ＵＥの干渉リスニングを制御するために、トリガ命令がＵＥに送信される。これに対応して、送信器はさらに、ユーザ装置ＵＥがトリガ命令を受信した後にリッスンされるスペクトルの干渉リスニングの実行を開始することができるように、ＵＥによって送信される第１のリスニング結果が受信される前に、ＵＥにトリガ命令を送信するように構成される。
【０１５４】
別法として、ＵＥの干渉リスニングを制御するために、リスニングトリガ条件に関する情報がリスニング構成情報で搬送される。リスニングトリガ条件に関する情報は、現在使用されるチャネルの品質がトリガ条件を満たすときに、リッスンされるスペクトルの干渉リスニングを実行するようにＵＥに指示するために使用される。
【０１５５】
任意に、本実施例では、第１のリスニング結果は、リッスンされるスペクトルの干渉信号のエネルギー情報であってよい。ＵＥによって送信される第１のリスニング結果を受信する前に、プロセッサ６２はさらに、
現在の基地局によるリッスンされるスペクトルの使用の状況に関する情報をＵＥに送信するように構成される。使用の状況に関する情報は、リッスンされるスペクトルで現在の基地局によって送信される信号に対応するデータスケジューリング情報を含む。これにより、ＵＥが、現在の基地局によるリッスンされるスペクトルの使用の状況に関する情報に従って、現在の基地局によって送信される信号のエネルギー情報を決定し、リッスンされるスペクトルのリスニングによって取得されるエネルギー情報及び現在の基地局によって送信される信号のエネルギー情報に従って、リッスンされるスペクトルの干渉信号のエネルギー情報をさらに決定して第１のリスニング結果を取得することができる。対応して、プロセッサ６２は、具体的に、
リッスンされるスペクトルの干渉信号のエネルギー情報に従って、リッスンされるスペクトルから事前設定条件を満たすリッスンされるスペクトルを選択するように構成される。
事前設定条件は、以下の３つの項目、すなわち、
リッスンされるスペクトルの干渉信号のエネルギー情報の値が、第１の事前設定値未満であることと、
リッスンされるスペクトルの信号対干渉雑音比ＳＩＮＲの値が第２の事前設定値より大きいことであって、ＳＩＮＲの値は、リッスンされるスペクトルの干渉信号のエネルギー情報の値に対する、ＵＥによって現在使用されるチャネルの参照信号受信電力ＲＳＲＰの比率（すなわちＲＳＲＰ／（Ｎ＋Ｉ））であるか、又は、ＳＩＮＲの値は、リッスンされるスペクトルの干渉信号のエネルギー情報の値に対する、ＵＥによって現在使用されるチャネルの受信信号エネルギーの比率であることと、
リッスンされるスペクトルのチャネル品質インジケータＣＱＩが、第３の事前設定値より大きいことであって、ＣＱＩの値は、リッスンされるスペクトルの干渉信号のエネルギー情報の値に対する、ＵＥによって現在使用されるチャネルのＲＳＲＰの比率に対応するか、又は、ＣＱＩの値は、リッスンされるスペクトルの干渉信号のエネルギー情報の値に対する、ＵＥによって現在使用されるチャネルの受信信号エネルギーの比率に対応することと、
のうちの少なくとも１つを含む。
【０１５６】
任意に、本実施例では、第１のリスニング結果はまた、ＵＥによって選択されたアイドルスペクトルの記述情報であってもよい。これに対応して、プロセッサ６２は、具体的に、
ＵＥによって選択されたアイドルスペクトルの記述情報に従って、リッスンされるスペクトルからアイドルスペクトルを決定するように構成される。ＵＥによって選択されたアイドルスペクトルの記述情報は、ＵＥが、リッスンされるスペクトルでの干渉信号のエネルギー情報であって、リッスンされるスペクトルの干渉リスニングを実行することによりＵＥによって取得されるエネルギー情報に従って、リッスンされるスペクトルから選択し、且つ、前述の事前設定条件を満たす、リッスンされるスペクトルの記述情報である。
【０１５７】
任意に、特定の実装形態では、メモリ６１、プロセッサ６２及び送信器６３が別個に実装される場合、メモリ６１、プロセッサ６２及び送信器６３は、バスを使用することによって、互いの通信を相互接続及び完了することができる。バスは、業界標準アーキテクチャ（Ｉｎｄｕｓｔｒｙ  Ｓｔａｎｄａｒｄ  Ａｒｃｈｉｔｅｃｔｕｒｅ，略してＩＳＡ）バス、周辺構成要素相互接続（Ｐｅｒｉｐｈｅｒａｌ  Ｃｏｍｐｏｎｅｎｔ，略してＰＣＩ）バス、拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ，略してＥＩＳＡ）バスなどであってよい。バスは、アドレスバス、データバス、制御バスなどに分類することができる。表示の便宜上、バスは、図６で１本の太線のみを使用して表されるが、これは、１つのみのバス又は１つのタイプのみのバスが存在することを示さない。
【０１５８】
任意に、特定の実装形態では、メモリ６１、プロセッサ６２及び送信器６３が、実装のために１つのチップに統合される場合、メモリ６１、プロセッサ６２及び送信器６３は、内部インターフェースを介して互いの通信を完成させることができる。
【０１５９】
実施例７
図７は、本発明の実施例７のユーザ装置の概略的構造図である。本実施例では、ユーザ装置は、本発明の実施例３におけるワイヤレス通信方法のステップを実現するように構成することができる。図７に示すように、本実施例では、ユーザ装置は、以下を備える。
メモリ７１は、プログラムを記憶するように構成される。具体的に、そのプログラムはプログラムコードを含むことができ、そのプログラムコードはコンピュータ動作命令を含む。メモリ７１は、高速ＲＡＭメモリを含むことができ、或いは、不揮発性メモリ（不揮発性メモリ）（たとえば少なくとも１つの磁気ディスクメモリ）をさらに含み得る。
プロセッサ７２は、メモリ７１に記憶されたプログラムを実行して、リッスンされるスペクトルの干渉リスニングを実行して第１のリスニング結果を取得するステップであって、リッスンされるスペクトルは免許不要スペクトルに属する、ステップと、基地局が第１のリスニング結果に従ってリッスンされるスペクトルからアイドルスペクトルを選択してユーザ装置ＵＥと通信することができるように、第１のリスニング結果を基地局に送信するステップと、を実行するように構成される。
【０１６０】
任意に、本実施例では、ユーザ装置はさらに受信器７３を備える。受信器７３は、リッスンされるスペクトルで干渉リスニングが実行される前に、基地局によって送信されたリスニング構成情報を受信するように構成される。プロセッサ７２は、具体的に、リスニング構成情報に従って、リッスンされるスペクトルの干渉リスニングを実行するように構成される。
【０１６１】
任意に、リッスンされるスペクトルの記述情報は、プロセッサ７２において事前設定することができる。プロセッサ７２は、具体的に、リッスンされるスペクトルの事前設定された記述情報に従って、リッスンされるスペクトルの干渉リスニングを実行するように構成される。或いは、
リスニング構成情報は、リッスンされるスペクトルの記述情報を含む。これに対応して、プロセッサ７２は、具体的に、リスニング構成情報に含まれるリッスンされるスペクトルの記述情報に従って、リッスンされるスペクトルの干渉リスニングを実行するように構成される。
【０１６２】
別法として、リスニング構成情報は第２のリスニング結果を含む。第２のリスニング結果は、使用可能なスペクトルのリスニングを実行することによって基地局によって取得される。使用可能なスペクトルは、リッスンされるスペクトルを含む免許不要スペクトルである。これに対応して、プロセッサ７２は、具体的に、
リスニング構成情報内の第２のリスニング結果に従って、リッスンされるスペクトルの記述情報を決定し、
リッスンされるスペクトルの記述情報に従って、リッスンされるスペクトルの干渉リスニングを実行するように構成される。
【０１６３】
任意に、本実施例では、リスニング構成情報はさらに、送信モジュールが第１のリスニング結果を送信するときに占有されるリソースを示すために使用される構成情報を含むことができる。構成情報は、時間領域情報、周波数領域情報及び符号領域情報のうちの少なくとも１つを含む。これに対応して、プロセッサ７２は、具体的に、構成情報に対応するリソースで第１のリスニング結果を基地局に送信するように構成される。
【０１６４】
任意に、プロセッサ７２の干渉リスニングを制御するために、リスニング構成情報はさらに、リスニング時間情報を含むことができる。リスニング時間情報は、リスニングモジュールがリッスンされるスペクトルのリスニングの実行を開始及び／又は停止する時間を示すために使用される。リスニングモジュールは、具体的に、リスニング時間情報に従って、リッスンされるスペクトルの干渉リスニングの実行を開始及び／又は停止するように構成される。或いは、リスニング時間情報は、リスニング時間情報を周期として使用するようにリスニングモジュールに指示するために使用される。リスニングモジュールは、具体的に、リスニング時間情報の周期で、リッスンされるスペクトルの干渉リスニングを実行するように構成される。
【０１６５】
別法として、プロセッサ７２の干渉リスニングは、基地局によって送信されたトリガ命令を使用することによって制御することができる。具体的に、リッスンされるスペクトルの干渉リスニングを実行する前に、プロセッサ７２は、基地局によって送信されたトリガ命令を受信し、リッスンされるスペクトルの干渉リスニングの実行を開始するように構成される。
【０１６６】
加えて、トリガ条件に関する情報がプロセッサ７２において事前設定されてよい。プロセッサ７２は、現在使用されるチャネルの品質がトリガ条件を満たすと決定されたときに、リッスンされるスペクトルの干渉リスニングを実行する。
【０１６７】
別法として、プロセッサ７２の干渉リスニングを制御するために、リスニングトリガ条件に関する情報が、リスニング構成情報で搬送される。プロセッサ７２は、現在使用されるチャネルの品質がトリガ条件を満たすと決定されたときに、リッスンされるスペクトルの干渉リスニングを実行する。
【０１６８】
任意に、本実施例では、第１のリスニング結果は、リッスンされるスペクトルの干渉信号のエネルギー情報であってよい。プロセッサ７２はさらに、リッスンされるスペクトルのリスニングの実行の前に、基地局によって送信され且つリッスンされるスペクトルの現在の基地局による使用の状況に関する情報を受信するように構成される。使用の状況に関する情報は、現在の基地局によってリッスンされるスペクトルで送信される信号に対応するデータスケジューリング情報を含む。これに対応して、プロセッサ７２は、具体的に、
リッスンされるスペクトルの信号のリスニングを実行して、リッスンされるスペクトルの信号のエネルギー情報を取得し、現在の基地局によるリッスンされるスペクトルの使用の状況に関する情報に従って、基地局によって送信される信号のエネルギー情報を決定するように構成され、
リッスンされるスペクトルの信号のエネルギー情報及び基地局によって送信される信号のエネルギー情報に従って、リッスンされるスペクトルの干渉信号のエネルギー情報を決定して第１のリスニング結果を取得するように構成される。
【０１６９】
任意に、本実施例では、第１のリスニング結果はまた、プロセッサ７２によって選択されたアイドルスペクトルの記述情報であってもよい。これに対応して、プロセッサ７２は、具体的に、
リッスンされるスペクトルの干渉リスニングを実行して、そのリッスンされるスペクトルの干渉信号のエネルギー情報を取得するように構成され、
リッスンされるスペクトルの干渉信号のエネルギー情報に従って、リッスンされるスペクトルから事前設定条件を満たすアイドルスペクトルを選択し、そのアイドルスペクトルの記述情報を決定して第１のリスニング結果を取得するように構成される。
事前設定条件は、以下の３つの項目、すなわち、
リッスンされるスペクトルの干渉信号のエネルギー情報の値が、第１の事前設定値未満であることと、
リッスンされるスペクトルの信号対干渉雑音比ＳＩＮＲの値が第２の事前設定値より大きいことであって、ＳＩＮＲの値は、リッスンされるスペクトルの干渉信号のエネルギー情報の値に対する、ＵＥによって現在使用されるチャネルの参照信号受信電力ＲＳＲＰの比率（すなわちＲＳＲＰ／（Ｎ＋Ｉ））であるか、又は、ＳＩＮＲの値は、リッスンされるスペクトルの干渉信号のエネルギー情報の値に対する、ＵＥによって現在使用されるチャネルの受信信号エネルギーの比率であることと、
リッスンされるスペクトルのチャネル品質インジケータＣＱＩが、第３の事前設定値より大きいことであって、ＣＱＩの値は、リッスンされるスペクトルの干渉信号のエネルギー情報の値に対する、ＵＥによって現在使用されるチャネルのＲＳＲＰの比率に対応するか、又は、ＣＱＩの値は、リッスンされるスペクトルの干渉信号のエネルギー情報の値に対する、ＵＥによって現在使用されるチャネルの受信信号エネルギーの比率に対応することと、
のうちの少なくとも１つを含む。
【０１７０】
任意に、特定の実装形態では、メモリ７１、プロセッサ７２及び受信器７３が別個に実装される場合、メモリ７１、プロセッサ７２及び受信器７３は、バスを使用することによって、互いの通信を相互接続及び完成することができる。バスは、業界標準アーキテクチャ（Ｉｎｄｕｓｔｒｙ  Ｓｔａｎｄａｒｄ  Ａｒｃｈｉｔｅｃｔｕｒｅ，略してＩＳＡ）バス、周辺構成要素相互接続（Ｐｅｒｉｐｈｅｒａｌ  Ｃｏｍｐｏｎｅｎｔ，略してＰＣＩ）バス、拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ，略してＥＩＳＡ）バスなどであってよい。バスは、アドレスバス、データバス、制御バスなどに分類することができる。表示の便宜上、バスは、図６で１本の太線のみを使用して表されるが、これは、１つのみのバス又は１つのタイプのみのバスが存在することを示さない。
【０１７１】
任意に、特定の実装形態では、メモリ７１、プロセッサ７２及び受信器７３が、実装のために１つのチップに統合される場合、メモリ７１、プロセッサ７２及び受信器７３は、内部インターフェースを介して互いの通信を完成させることができる。
【０１７２】
説明を容易にするために、前述の方法の実施例が、一連の動作の組合わせとして説明されていることに留意されたい。しかし、いくつかのステップは、本発明に従って別の順番で実行することができ、或いは同時に実行することができるので、本発明は、記載された順番の動作に限定されないことが、当業者には理解されよう。加えて、本明細書に記載された実施例はすべて例示的実施例に属し、関連する動作及びモジュールは、本発明に必ずしも必須ではないこともまた、当業者には理解されよう。
【０１７３】
本方法の実施例のステップのすべて又はいくつかは、関連ハードウェアに指示するプログラムによって実装され得ることが、当業者には理解され得る。そのプログラムは、コンピュータ可読記憶媒体に記憶され得る。プログラムが実行するとき、本方法の実施例のステップが実行される。前述の記憶媒体は、ＲＯＭ、ＲＡＭ、磁気ディスク、光ディスクなど、プログラムコードを記憶することができる任意の媒体を含む。
【０１７４】
最後に、前述の実施例は、本発明の技術的解決法を説明することを単に意図されたものであり、本発明の限定を意図されていないことに留意されたい。本発明は、前述の実施例を参照して詳細に説明されるが、当業者は、本発明の実施例の技術的解決法の趣旨及び範囲を逸脱することなしに、前述の実施例で説明されている技術的解決法の修正をさらに行うこと又はそのいくつかの技術的特徴に同等の置換を行うことができることが、当業者には理解されよう。
【図１】
2016541170.tif 000003
【図２】
2016541170.tif 000004
【図３】
2016541170.tif 000005
【図４】
2016541170.tif 000006
【図５】
2016541170.tif 000007
【図６】
2016541170.tif 000008
【図７】
2016541170.tif 000009
【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
免許不要スペクトルの構成方法であって、
ユーザ装置（ＵＥ）が、リッスンされるスペクトルでのエネルギー検出のための構成を基地局から受信するステップであって、前記リッスンされるスペクトルは免許不要スペクトルに属し、前記構成は、前記リッスンされるスペクトルに関する記述情報及び前記エネルギー検出を実行するための時間パラメータを備える、ステップと、
前記ＵＥが、前記エネルギー検出のための前記構成に従って、前記リッスンされるスペクトルでのエネルギー検出を実行するステップと、
前記ＵＥが、前記リッスンされるスペクトルでの前記エネルギー検出に関する報告を前記基地局に送信するステップであって、前記報告は免許不要スペクトル選択のために使用される、ステップと、
を含む、方法。
【請求項２】
前記ＵＥが、前記ＵＥのセカンダリセルの構成を前記基地局から受信するステップであって、前記ＵＥの前記セカンダリセルの前記構成は、前記ＵＥと前記基地局との間の通信に使用可能な免許不要スペクトルを示す、ステップ、
をさらに含む、請求項１に記載の方法。
【請求項３】
前記ＵＥの前記セカンダリセルの前記構成は、前記使用可能な免許不要スペクトルでの前記ＵＥと前記基地局との間の前記通信のための変調符号化方式（ＭＣＳ）に関する情報を備える、
請求項２に記載の方法。
【請求項４】
前記報告は、受信信号強度インジケータ（ＲＳＳＩ）に関する情報を備える、
請求項１乃至３のいずれか一項に記載の方法。
【請求項５】
前記エネルギー検出のための前記構成は、前記報告の前記送信のためのリソースを示す報告構成情報を備える、
請求項１乃至４のいずれか一項に記載の方法。
【請求項６】
前記エネルギー検出を実行するための前記時間パラメータは、前記エネルギー検出を実行するための時間周期を示す、
請求項１乃至５のいずれか一項に記載の方法。
【請求項７】
前記エネルギー検出を実行するための前記時間パラメータは、前記ＵＥが前記エネルギー検出を開始する時間及び前記ＵＥが前記エネルギー検出を停止する時間を示す、
請求項１乃至５のいずれか一項に記載の方法。
【請求項８】
コンピュータに請求項１乃至７のいずれか一項に記載の方法を実行させるプログラム。
【請求項９】
請求項８に記載のプログラムが記録されたコンピュータ可読記憶媒体。
【請求項１０】
免許不要スペクトルでのワイヤレス通信をサポートするデバイスであって、
命令を記憶するメモリと、
前記メモリに結合されたプロセッサと、
を備え、前記プロセッサは、
リッスンされるスペクトルでのエネルギー検出のための構成を基地局から受信するための命令であって、前記リッスンされるスペクトルは免許不要スペクトルに属し、前記構成は、前記リッスンされるスペクトルに関する記述情報及び前記エネルギー検出を実行するための時間パラメータを備える、命令と、
前記エネルギー検出のための前記構成に従って、前記リッスンされるスペクトルでのエネルギー検出を実行するための命令と、
前記リッスンされるスペクトルでの前記エネルギー検出に関する報告を前記基地局に送信するための命令であって、前記報告は免許不要スペクトル選択のために使用される、命令と、
を実行するように構成される、デバイス。
【請求項１１】
前記プロセッサは、
前記デバイスのセカンダリセルの構成を前記基地局から受信するための命令であって、前記デバイスの前記セカンダリセルの前記構成は、前記デバイスと前記基地局との間の通信のために使用可能な免許不要スペクトルを示す、命令、
を実行するように構成される、請求項１０に記載のデバイス。
【請求項１２】
前記デバイスの前記セカンダリセルの前記構成は、前記使用可能な免許不要スペクトルでの前記デバイスと前記基地局との間の前記通信のための変調符号化方式（ＭＣＳ）に関する情報を備える、
請求項１１に記載のデバイス。
【請求項１３】
前記報告は、受信信号強度インジケータ（ＲＳＳＩ）に関する情報を備える、
請求項１０乃至１２のいずれか一項に記載のデバイス。
【請求項１４】
前記エネルギー検出のための前記構成は、前記報告の前記送信のためのリソースを示す報告構成情報を備える、
請求項１０乃至１３のいずれか一項に記載のデバイス。
【請求項１５】
前記エネルギー検出を実行するための前記時間パラメータは、前記エネルギー検出を実行するための時間周期を示す、
請求項１０乃至１４のいずれか一項に記載のデバイス。
【請求項１６】
前記エネルギー検出を実行するための前記時間パラメータは、前記デバイスが前記エネルギー検出を開始する時間及び前記デバイスが前記エネルギー検出を停止する時間を示す、
請求項１０乃至１４のいずれか一項に記載のデバイス。
【手続補正２】
【補正対象書類名】明細書
【補正対象項目名】００６９
【補正方法】変更
【補正の内容】
【００６９】
任意に、基地局はまた、リスニング時間情報又はリスニングトリガ条件に関する情報をリスニング構成情報に含めることによって、ＵＥの干渉リスニングを制御することができる。リスニング時間情報は、ＵＥがリッスンされるスペクトルの干渉リスニングの実行を開始及び／又は停止する時間を示すために使用され、又は、リッスンされるスペクトルの干渉リスニングをリスニング時間情報の周期で実行するようにＵＥに指示するために使用される。リスニングトリガ条件は、現在使用されるチャネルの品質がトリガ条件を満たすときに、リッスンされるスペクトルの干渉リスニングを実行するようにＵＥに指示するために使用される。対応して、ステップ１０２では、ＵＥが、リスニング構成情報に従って、リッスンされるスペクトルの干渉リスニングを実行することは、具体的に、リスニング時間情報又はリスニング構成情報内のリスニングトリガ条件に関する情報に従って、リッスンされるスペクトルの干渉リスニングを実行するステップ、を含む。ＵＥによって現在使用されるチャネルの品質は、現在使用されるチャネルの参照信号受信電力ＲＳＲＰ（Ｒｅｆｅｒｅｎｃｅ  ｓｉｇｎａｌ  ｒｅｃｅｉｖｅｄ  ｐｏｗｅｒ）、参照信号受信品質ＲＳＲＱ（Ｒｅｆｅｒｅｎｃｅ  ｓｉｇｎａｌ  ｒｅｃｅｉｖｅｄ  ｑｕａｌｉｔｙ）、チャネル品質インジケータＣＱＩ（Ｃｈａｎｎｅｌ  ｑｕａｌｉｔｙ  ｉｎｄｉｃａｔｏｒ）及び受信信号強度インジケータＲＳＳＩ（Ｒｅｃｅｉｖｅｄ  ｓｉｇｎａｌ  ｓｔｒｅｎｇｔｈ  ｉｎｄｉｃａｔｏｒ）のうちの少なくとも１つに従って、決定され得る。
【手続補正３】
【補正対象書類名】明細書
【補正対象項目名】００７５
【補正方法】変更
【補正の内容】
【００７５】
基地局が、リッスンされるスペクトルで別のＵＥにデータサービスを提供するとき、リッスンされるスペクトルの信号のリスニングを実行することによってＵＥによって取得されるエネルギー情報は、干渉信号のエネルギー信号と、現在の基地局によって送信される信号のエネルギー情報Ｓとを含む。干渉信号は、現在の基地局を除く別のデバイス（別の基地局、ワイファイデバイスなどでもよい）によってリッスンされるスペクトルで送信される信号である。干渉信号のエネルギー情報は、干渉信号のエネルギーＩ（Ｉｎｔｅｒｆｅｒｅｎｃｅ）によって表すことができ、又は、Ｉ及び雑音Ｎ（noise）によって表すことができる。したがって、干渉信号のエネルギー情報は、干渉信号のエネルギーＩと等しくなり得、又は、Ｉ及び雑音Ｎの合計と等しくなり得る。具体的には、本実施例では、干渉信号のエネルギー情報がＩ＋Ｎであることが、一例として使用される。基地局によって送信される信号は、ＵＥによる干渉信号のリスニングの結果に影響を及ぼす。基地局によって送信される信号のインパクトが考慮されない場合、又は基地局がリッスンされるスペクトルで信号を送信しないとき、リッスンされるスペクトルの干渉信号のエネルギー情報は、ＵＥがそのリッスンされるスペクトルのすべての信号でエネルギー検出を実行することによって取得され得る。干渉リスニングの精度をさらに向上させるために、基地局によって送信される信号の第１のリスニング結果に対するインパクトを排除する必要がある場合、本実施例では、ステップ１０２の前に、本方法はさらに、
基地局が、リッスンされるスペクトルの現在の基地局による使用の状況に関する情報をＵＥに送信するステップであって、使用の状況に関する情報は、リッスンされるスペクトルで現在の基地局によって送信される信号に対応するデータスケジューリング情報を含む、ステップ、
を含む。
【手続補正４】
【補正対象書類名】明細書
【補正対象項目名】０１４２
【補正方法】変更
【補正の内容】
【０１４２】
別法として、リスニング構成情報は、リスニングモジュールの制御を実現するために、リスニングトリガ条件に関する情報を搬送することができる。これに対応して、リスニングモジュール５１は、具体的に、現在使用されるチャネルの品質がトリガ条件を満たすと決定されたときに、リッスンされるスペクトルの干渉リスニングを実行するように構成される。
【手続補正５】
【補正対象書類名】明細書
【補正対象項目名】０１４６
【補正方法】変更
【補正の内容】
【０１４６】
実施例６
図６は、本発明の実施例６による基地局の概略的構造図である。本実施例では、基地局は、本発明の実施例２におけるワイヤレス通信方法のステップを実現するように構成することができる。図６に示すように、本実施例では、基地局は以下を備える。
メモリ６１は、プログラムを記憶するように構成される。具体的には、そのプログラムはプログラムコードを含むことができ、そのプログラムコードはコンピュータ動作命令を含む。メモリ６１は、高速ＲＡＭメモリを含むことができ、或いは、さらに不揮発性メモリ（ｎｏｎ−ｖｏｌａｔｉｌｅ  ｍｅｍｏｒｙ）（たとえば、少なくとも１つの磁気ディスクメモリ）を含み得る。
プロセッサ６２は、メモリ７１に記憶されたプログラムを実行して、ユーザ装置ＵＥによって送信される第１のリスニング結果を受信するステップであって、第１のリスニング結果は、リッスンされるスペクトルの干渉リスニングを実行することによってＵＥによって取得され、リッスンされるスペクトルは免許不要スペクトルである、ステップと、第１のリスニング結果に従って、リッスンされるスペクトルからアイドルスペクトルを選択するステップと、そのアイドルスペクトルでＵＥと通信するステップと、を実行する。
【手続補正６】
【補正対象書類名】明細書
【補正対象項目名】０１６３
【補正方法】変更
【補正の内容】
【０１６３】
任意に、本実施例では、リスニング構成情報はさらに、プロセッサ７２が第１のリスニング結果を送信するときに占有されるリソースを示すために使用される構成情報を含むことができる。構成情報は、時間領域情報、周波数領域情報及び符号領域情報のうちの少なくとも１つを含む。これに対応して、プロセッサ７２は、具体的に、構成情報に対応するリソースで第１のリスニング結果を基地局に送信するように構成される。
【手続補正７】
【補正対象書類名】明細書
【補正対象項目名】０１６４
【補正方法】変更
【補正の内容】
【０１６４】
任意に、プロセッサ７２の干渉リスニングを制御するために、リスニング構成情報はさらに、リスニング時間情報を含むことができる。リスニング時間情報は、プロセッサがリッスンされるスペクトルのリスニングの実行を開始及び／又は停止する時間を示すために使用される。リスニングモジュールは、具体的に、リスニング時間情報に従って、リッスンされるスペクトルの干渉リスニングの実行を開始及び／又は停止するように構成される。或いは、リスニング時間情報は、リスニング時間情報を周期として使用するようにリスニングモジュールに指示するために使用される。リスニングモジュールは、具体的に、リスニング時間情報の周期で、リッスンされるスペクトルの干渉リスニングを実行するように構成される。
【手続補正８】
【補正対象書類名】明細書
【補正対象項目名】０１６６
【補正方法】変更
【補正の内容】
【０１６６】
加えて、リスニングトリガ条件に関する情報がプロセッサ７２において事前設定されてよい。プロセッサ７２は、現在使用されるチャネルの品質がトリガ条件を満たすと決定されたときに、リッスンされるスペクトルの干渉リスニングを実行する。
【手続補正９】
【補正対象書類名】明細書
【補正対象項目名】０１７０
【補正方法】変更
【補正の内容】
【０１７０】
任意に、特定の実装形態では、メモリ７１、プロセッサ７２及び受信器７３が別個に実装される場合、メモリ７１、プロセッサ７２及び受信器７３は、バスを使用することによって、互いの通信を相互接続及び完成することができる。バスは、業界標準アーキテクチャ（Ｉｎｄｕｓｔｒｙ  Ｓｔａｎｄａｒｄ  Ａｒｃｈｉｔｅｃｔｕｒｅ，略してＩＳＡ）バス、周辺構成要素相互接続（Ｐｅｒｉｐｈｅｒａｌ  Ｃｏｍｐｏｎｅｎｔ，略してＰＣＩ）バス、拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ，略してＥＩＳＡ）バスなどであってよい。バスは、アドレスバス、データバス、制御バスなどに分類することができる。表示の便宜上、バスは、図７で１本の太線のみを使用して表されるが、これは、１つのみのバス又は１つのタイプのみのバスが存在することを示さない。
【国際調査報告】
2016541170.tif 000010
2016541170.tif 000011
2016541170.tif 000012
2016541170.tif 000013